(57)【要約】  本発明は、端末のロック解除処理方法を提供し、上記方法は、入力されたロック解除命令を受信するステップと、ロック解除命令に基づいて、現在のロック解除者が第１の設定群に該当するか否かを判断するステップと、現在のロック解除者が第１の設定群に該当しない場合、現在のロック解除者の情報を取得して保存するステップとを含む。本発明によると、非法使用者の情報を記録することができるため、端末の使用安全性を向上させる。本発明は、さらに端末のロック解除処理装置、及び端末を提供する。本発明によると、非法使用者の情報を記録することができるため、端末の使用安全性を向上させることができる。【選択図】図１
2015534405.tif 000002
【特許請求の範囲】
【請求項１】
入力されたロック解除命令を受信するステップと、
上記ロック解除命令に基づいて、現在のロック解除者が第１の設定群に該当するか否かを判断するステップと、
上記現在のロック解除者が上記第１の設定群に該当しない場合、上記現在のロック解除者の情報を取得して保存するステップと
を含むことを特徴とする端末のロック解除処理方法。
【請求項２】
上記現在のロック解除者が上記第１の設定群に該当しない場合、上記現在のロック解除者の情報を取得するステップは、
上記現在のロック解除者が上記第１の設定群に該当しない場合、情報収集装置を作動させるステップと、
上記情報収集装置により上記現在のロック解除者の情報を収集するステップと
を含み、
上記現在のロック解除者の情報は、上記現在のロック解除者の顔画像情報、音声情報、又は指紋情報を含む
ことを特徴とする請求項１に記載の端末のロック解除処理方法。
【請求項３】
上記現在のロック解除者が上記第１の設定群に該当しない場合、上記現在のロック解除者の情報を取得して保存するステップ以降に、さらに、
上記現在のロック解除者の情報に基づいて、上記現在のロック解除者が第２の設定群に該当するか否かを判断するステップと、
上記現在のロック解除者が上記第２の設定群に該当する場合、画面をロック解除して制限使用モードに入るステップと、
上記現在のロック解除者の上記制限使用モードにおける操作を記録するステップと
を含み、
上記制限使用モードにおいて、上記端末のシステム、及びアプリの少なくとも一方は、予め設定された操作のみに対してフィードバックを行ない、
上記操作は、上記端末のシステム、及びアプリの少なくとも一方の、作動、照会、修正、追加、及び削除のうちの一項或いは複数項を含む
ことを特徴とする請求項１に記載の端末のロック解除処理方法。
【請求項４】
上記ロック解除命令に基づいて、現在のロック解除者が第１の設定群に該当するか否かを判断するステップ以降に、さらに、
上記現在のロック解除者が上記第１の設定群に該当する場合、ロックを解除するステップと、
保存されていて、且つ上記第１の設定群に該当しない上記ロック解除者の情報、及び操作の少なくとも一方を表示するステップと
を含むことを特徴とする請求項１或いは３に記載の端末のロック解除処理方法。
【請求項５】
保存されていて、且つ上記第１の設定群に該当しない上記ロック解除者の操作を表示するステップ以降に、さらに、
提示情報を出力して、上記操作に対するキャンセル要否を提示するステップと、
キャンセル確定された場合、上記操作をキャンセルするステップと
を含むことを特徴とする請求項４に記載の端末のロック解除処理方法。
【請求項６】
上記現在のロック解除者が上記第１の設定群に該当しない場合、上記現在のロック解除者の情報を取得して保存するステップ以降に、さらに、
上記現在のロック解除者の情報に基づいて、上記現在のロック解除者が第２の設定群に該当するか否かを判断するステップと、
上記現在のロック解除者が上記第２の設定群に該当しない場合、画面ロック状態に入るステップと
を含むことを特徴とする請求項１に記載の端末のロック解除処理方法。
【請求項７】
入力されたロック解除命令を受信するステップ以前に、さらに、
上記端末の軸線を含む平面が水平面となす傾斜角に基づいて、画面ロック解除インターフェースの表示要否を判断するステップと、
上記傾斜角が予め設定された閾値以上である場合、画面ロック解除インターフェースを表示するステップと
を含むことを特徴とする請求項１に記載の端末のロック解除処理方法。
【請求項８】
上記ロック解除命令は、キャラクターパスワード情報、パターン情報、顔画像情報、音声情報、又は指紋情報に基づくものである
ことを特徴とする請求項１に記載の端末のロック解除処理方法。
【請求項９】
入力されたロック解除命令を受信するための受信モジュールと、
上記ロック解除命令に基づいて、現在のロック解除者が第１の設定群に該当するか否かを判断するための判断モジュールと、
上記現在のロック解除者が上記第１の設定群に該当しない場合、上記現在のロック解除者の情報を取得して保存するための情報取得処理モジュールと
を含むことを特徴とする端末のロック解除処理装置。
【請求項１０】
情報収集装置と装置作動モジュールとをさらに含み、
上記装置作動モジュールは、上記現在のロック解除者が上記第１の設定群に該当しない場合に情報収集装置を作動させるためのものであり、
上記情報収集装置は、上記現在のロック解除者の情報を収集するためのものであり、
上記現在のロック解除者の情報は、上記現在のロック解除者の顔画像情報、音声情報、又は指紋情報を含む
ことを特徴とする請求項９に記載の端末のロック解除処理装置。
【請求項１１】
さらに、
上記現在のロック解除者の情報に基づいて、上記現在のロック解除者が第２の設定群に該当するか否かを判断するための第２の判断モジュールと、
上記現在のロック解除者が上記第２の設定群に該当する場合、画面をロック解除して制限使用モードに入るようにするための第２のロック解除処理モジュールと、
上記現在のロック解除者の上記制限使用モードにおける操作を記録するための記録処理モジュールと
を含み、
上記制限使用モードにおいて、上記端末のシステム、及びアプリの少なくとも一方は、予め設定された操作のみに対してフィードバックを行ない、
上記操作は、上記端末のシステム、及びアプリの少なくとも一方の、作動、照会、修正、追加、及び削除の少なくとも一つを含む
ことを特徴とする請求項９に記載の端末のロック解除処理装置。
【請求項１２】
さらに、
上記現在のロック解除者が上記第１の設定群に該当する場合、ロックを解除するための第１のロック解除処理モジュールと、
保存されていて、且つ上記第１の設定群に該当しないロック解除者の情報、及び操作の少なくとも一方を表示するための表示処理モジュールと
を含むことを特徴とする請求項９或いは１１に記載の端末のロック解除処理装置。
【請求項１３】
さらに、
提示情報を出力して、上記操作に対するキャンセル要否を提示するための情報出力モジュールと、
上記操作をキャンセルするためのキャンセル処理モジュールと
を含むことを特徴とする請求項１２に記載の端末のロック解除処理装置。
【請求項１４】
さらに、
上記現在のロック解除者が上記第２の設定群に該当しない場合、画面ロック状態に入るようにするための画面ロック処理モジュールを含む
ことを特徴とする請求項９に記載の端末のロック解除処理装置。
【請求項１５】
さらに、
上記端末の軸線を含む平面が水平面となす傾斜角に基づいて、画面ロック解除インターフェースの表示要否を判断するための第３の判断モジュールと、
上記傾斜角が予め設定された閾値以上である場合、画面ロック解除インターフェースを表示するためのインターフェース処理モジュールと
を含むことを特徴とする請求項９に記載の端末のロック解除処理装置。
【請求項１６】
上記ロック解除命令は、キャラクターパスワード情報、パターン情報、顔画像情報、音声情報、又は指紋情報に基づくものである
ことを特徴とする請求項９に記載の端末のロック解除処理装置。
【請求項１７】
メモリ、及び一つ又は一つ以上のプログラムを含み、
上記一つ又は一つ以上のプログラムは、メモリに記憶され、且つ一つ又は一つ以上のプロセッサにより実行されるとともに、
上記プログラムは、
入力されたロック解除命令を受信するための指令と、
上記ロック解除命令に基づいて、現在のロック解除者が第１の設定群に該当するか否かを判断するための指令と、
上記現在のロック解除者が上記第１の設定群に該当しない場合、上記現在のロック解除者の情報を取得して保存するための指令と
を含むことを特徴とする端末装置。
【発明の詳細な説明】
【技術分野】
【０００１】
本願は、出願番号がＣＮ２０１３１０４４６８２３．２であって、出願日が２０１３年９月２６日である中国特許出願に基づき優先権を主張し、当該中国特許出願のすべての内容を本願に援用する。
本発明は、電子デバイスの技術分野に関し、特に、端末のロック解除処理方法、装置、及びデバイスに関する。
【背景技術】
【０００２】
現在、電子通信技術の発展に伴って、人と人との情報伝達は携帯式電子デバイスの使用を離れられなくなった。携帯電話、タブレットＰＣなどを含む使用者デバイスが普遍的に使用され、このような電子デバイスの比較的大きい保存空間、及びその機能の多様化によって、使用者はデバイスに多量の個人情報を保存するのに慣れ、これはデバイスに、より高い安全性を要求している。現在、電子デバイスのロック解除方式として、数字パスワード、数独、指紋認識、音声認識、顔認識などがあり、画面ロック保安によって保護しているが、端末所有者以外の他人がロック解除を図る際、従来のロック解除形態は、ただパスワードエラー、再入力などを提示するだけ、更なる情報は提供することができず、端末所有者も他人が自分の端末に対してロック解除を図ったことについて分かるはずがなく、端末の安全上、リスクが存在する。
【発明の概要】
【発明が解決しようとする課題】
【０００３】
本発明の実施例は、非法使用者の情報を記録して端末所有者に注意を与えるための端末のロック解除処理方法、装置、及びデバイスを提供する。
【課題を解決するための手段】
【０００４】
本発明の実施例の第１の局面によると、本発明は、端末のロック解除処理方法を提供し、当該端末のロック解除処理方法は、
入力されたロック解除命令を受信するステップと、
ロック解除命令に基づいて、現在のロック解除者が第１の設定群に該当するか否かを判断するステップと、
現在のロック解除者が第１の設定群に該当しない場合、現在のロック解除者の情報を取得して保存するステップとを含む。
【０００５】
本発明の実施例にかかる技術案は、端末に対してロック解除を図るが、当該ロック解除者が第１の設定群に該当しない非法使用者である場合、当該ロック解除者の情報を取得して端末所有者に確認させることができるため、端末所有者は本機器のロック解除履歴を把握することができ、使用安全性を向上させる。
【０００６】
現在のロック解除者が第１の設定群に該当しない場合、情報収集装置を作動させ、
情報収集装置により現在のロック解除者の情報を収集し、
現在のロック解除者の情報は、現在のロック解除者の顔画像情報、音声情報、又は指紋情報を含む。
【０００７】
端末所有者は、情報収集装置、例えば、端末のカメラ、マイク、指紋収集装置などを利用して非法使用者の顔画像情報、音声情報、指紋情報などを取得することによって、非法使用者の身分を容易に確認できる。
【０００８】
現在のロック解除者が第１の設定群に該当しない場合、現在のロック解除者の情報を取得して保存した後、現在のロック解除者の情報に基づいて、現在のロック解除者が第２の設定群に該当するか否かを判断し、
現在のロック解除者が第２の設定群に該当する場合、画面をロック解除して制限使用モードに入り、
現在のロック解除者の制限使用モードにおける操作を記録し、
制限使用モードにおいて、端末のシステム、及び／又はアプリは、予め設定された操作のみに対してフィードバックを行い、操作は、端末のシステム、及び／又はアプリの作動、照会、修正、追加、及び削除を含む。
【０００９】
上記技術案によると、ロック解除者の情報に基づいて２回選別判断を行い、当該ロック解除者が特定の使用者である場合、制限使用モードに入り、即ち、当該一部の特定の使用者には制限された使用権限を与え、特定の使用者が当該制限使用モードにおいて本端末に対して行った操作を記録して端末所有者に確認させる。従って、端末所有者は、本機器のロック解除履歴を把握することができるだけではなく、個人プライバシーを保護し、ロック解除者が本機器に対してどんな操作を行ったことがあるか把握することができ、使用安全性をさらに向上させる。なお、使用が制限された群衆に応急支援をすることもできる。
【００１０】
現在のロック解除者が第１の設定群に該当する場合、ロックを解除し、
保存されていて、且つ第１の設定群に該当しないロック解除者の情報、及び／又は操作を表示する。
【００１１】
上記技術案によると、正しいロック解除命令を受信した後、本機器に対してロック解除を図ったことがあるロック解除者に関する情報を表示して、提示機能を発揮する。
保存されていて、第１の設定群に該当しないロック解除者の操作を表示した後、提示情報を出力して、操作に対するキャンセル要否を提示し、キャンセル確定された場合、操作をキャンセルする。
【００１２】
上記技術案によると、非法使用者が制限使用モードにおいて本機器に対して操作を行ったことを確認すると、端末所有者がこのような操作をキャンセルできるようにキャンセルオプションを提供し、端末を非法使用者によって操作される前の状態に復元させ、端末所有者の使用に便利性を提供する。
現在のロック解除者が第１の設定群に該当しない場合、現在のロック解除者の情報を取得して保存した後、現在のロック解除者の情報に基づいて、現在のロック解除者が第２の設定群に該当するか否かを判断し、現在のロック解除者が第２の設定群に該当しない場合、画面ロック状態に入る。
【００１３】
上記技術案によると、ロック解除者の情報に基づいて２回選別判断を行い、当該ロック解除者が端末所有者でもなく、予め設定された特定の使用者群でもない場合、その情報のみを取得して保存し、情報を取得した後、画面ロック状態に戻ってロック解除を禁止し、制限使用モードにも入らない。
入力されたロック解除命令を受信する前に、端末の軸線を含む平面が水平面となす傾斜角に基づいて、画面ロック解除インターフェースの表示要否を判断し、
傾斜角が予め設定された閾値以上である場合、画面ロック解除インターフェースを表示する。
【００１４】
上記技術案によると、ロック解除者がロック解除命令を入力しようとする際、端末が所定の角度になるように傾斜させるだけで画面ロックインターフェースをオンさせることができるため、操作が簡単である。
ロック解除命令は、キャラクターパスワード情報、パターン情報、顔画像情報、音声情報、又は指紋情報に基づくものである。
【００１５】
本発明の実施例の第２の局面によると、本発明は、端末のロック解除処理装置を提供し、当該端末のロック解除処理装置は、
入力されたロック解除命令を受信するための受信モジュールと、
ロック解除命令に基づいて、現在のロック解除者が第１の設定群に該当するか否かを判断するための判断モジュールと、
現在のロック解除者が第１の設定群に該当しない場合、現在のロック解除者の情報を取得して保存するための情報取得処理モジュールとを含む。
【００１６】
ロック解除処理装置は、情報収集装置と装置作動モジュールとをさらに含み、
装置作動モジュールは、現在のロック解除者が第１の設定群に該当しない場合、情報収集装置を作動させるためのものであり、
情報収集装置は、現在のロック解除者の情報を収集するためのものであり、
現在のロック解除者の情報は、現在のロック解除者の顔画像情報、音声情報、又は指紋情報を含む。
【００１７】
ロック解除処理装置は、さらに、
現在のロック解除者の情報に基づいて現在のロック解除者が第２の設定群に該当するか否かを判断するための第２の判断モジュールと、
現在のロック解除者が第２の設定群に該当する場合、画面をロック解除して制限使用モードに入るようにするための第２のロック解除処理モジュールと、
現在のロック解除者の制限使用モードにおける操作を記録するための記録処理モジュールとを含み、
制限使用モードにおいて、端末のシステム、及び／又はアプリは予め設定された操作のみに対してフィードバックを行い、操作は、端末のシステム、及び／又はアプリの作動、照会、修正、追加、及び／又は削除を含む。
【００１８】
ロック解除処理装置は、さらに、
現在のロック解除者が第１の設定群に該当する場合、ロックを解除するための第１のロック解除処理モジュールと、
保存されていて、且つ第１の設定群に該当しないロック解除者の情報、及び／又は操作を表示するための表示処理モジュールとを含む。
【００１９】
ロック解除処理装置は、さらに、
提示情報を出力して、操作に対するキャンセル要否を提示するための情報出力モジュールと、
操作をキャンセルするためのキャンセル処理モジュールとを含む。
【００２０】
ロック解除処理装置は、現在のロック解除者が第２の設定群に該当しない場合、画面ロック状態に入るようにするための画面ロック処理モジュールをさらに含む。
【００２１】
ロック解除処理装置は、さらに、
端末の軸線を含む平面が水平面となす傾斜角に基づいて、画面ロック解除インターフェースの表示要否を判断するための第３の判断モジュールと、
傾斜角が予め設定された閾値以上である場合、画面ロック解除インターフェースを表示するためのインターフェース処理モジュールとを含む。
【００２２】
本発明の実施例の第３の局面によると、本発明は端末装置を提供し、当該端末装置は、
メモリ、及び一つ又は一つ以上のプログラムを含み、
一つ又は一つ以上のプログラムは、メモリに記憶され、且つ一つ又は一つ以上のプロセッサにより実行されるとともに、
当該プログラムは、
入力されたロック解除命令を受信するための指令と、
ロック解除命令に基づいて、現在のロック解除者が第１の設定群に該当するか否かを判断するための指令と、
現在のロック解除者が第１の設定群に該当しない場合、現在のロック解除者の情報を取得して保存するための指令とを含む。
【００２３】
本発明は、非法使用者の情報を記録して端末所有者に確認させることができるため、端末所有者は、端末のロック解除履歴を容易に把握することができ、端末の使用安全度を向上させる。生物認識機能を有する端末は、本発明を通じて、一つの端末を複数の人が使用することを可能とし、異なる人に異なる使用権限を与えて、端末所有者の個人プライバシー情報の保護に有利である。
【発明の効果】
【００２４】
本発明の他の特徴と利点は、後述する明細書にて記述され、明細書によって、部分的に明らかになるか、或いは本発明の実施を通じて分かることができる。本発明の目的、及びその他の利点は、明細書、特許請求の範囲、及び図面で特別に指定した構成で実現し獲得することができる。
【００２５】
以下に、図面と実施例を通じて、本発明の技術案に対してさらに詳しく説明する。以上の統括な記述と以下の細部記述は、ただ例示的なものであり、本発明を限定するものではないと、理解すべきである。
【図面の簡単な説明】
【００２６】
以下の図面は、明細書の一部分として明細書全体を構成することにより、本発明に合致する実施例を例示するとともに、本発明の原理を解釈するためのものである。
以下の図面は、本願の一部分として、本発明に対する更なる理解を図るためのものであって、本発明に対する限定として捉えてはいけない。
これらの図面のうち
【図１】図１は、一つの例示的な実施例にかかる端末ロック解除処理方法を示す例示的なフローチャートである。
【図２】図２は、一つの例示的な実施例にかかる端末ロック解除処理方法を示す例示的なフローチャートである。
【図３】図３は、一つの例示的な実施例にかかる端末ロック解除処理方法を示す例示的なフローチャートである。
【図４】図４は、一つの例示的な実施例にかかる端末ロック解除処理方法を示す例示的なフローチャートである。
【図５】図５は、一つの例示的な実施例にかかる端末ロック解除処理方法を示す例示的なフローチャートである。
【図６】図６は、一つの例示的な実施例にかかる端末ロック解除処理方法を示す例示的なフローチャートである。
【図７】図７は、一つの例示的な実施例にかかる端末ロック解除処理方法を示す例示的なフローチャートである。
【図８】図８は、一つの例示的な実施例にかかる顔認識機能を有する携帯電話の画面ロック解除処理を示す例示的なフローチャートである。
【図９】図９は、一つの例示的な実施例にかかる端末ロック解除処理装置の例示的な構成を模式的に示す図である。
【図１０】図１０は、一つの例示的な実施例にかかる端末ロック解除処理装置の例示的な構成を模式的に示す図である。
【図１１】図１１は、一つの例示的な実施例にかかる端末ロック解除処理装置の例示的な構成を模式的に示す図である。
【図１２】図１２は、一つの例示的な実施例にかかる端末ロック解除処理装置の例示的な構成を模式的に示す図である。
【図１３】図１３は、一つの例示的な実施例にかかる端末ロック解除処理装置の例示的な構成を模式的に示す図である。
【図１４】図１４は、一つの例示的な実施例にかかる端末ロック解除処理装置の例示的な構成を模式的に示す図である。
【図１５】図１５は、一つの例示的な実施例にかかる端末の例示的な構成を模式的に示す図である。  以上の図面を通じて、本発明の実施例を例示しているが、そのさらに具体的な内容については後述する。これらの図面及び文字記載は、本発明の趣旨の範囲を限定するためのものではなく、特定の実施例を参照として、当業者に本発明のコンセプトを理解させるためのものである。
【発明を実施するための形態】
【００２７】
以下、図面を参照しながら本発明の実施例を説明する。以下に説明する実施例はただ本発明を説明し解釈するためのものであって、本発明を限定するものではないことを理解すべきである。
【００２８】
本発明の実施例は、非法使用者が本機器に対してロック解除する際、ロック解除を禁止するだけでなく、情報収集装置を作動させてロック解除者の情報を取得することによって、端末所有者がロック解除した後、このような情報を見てどんな非法使用者が本機器に対してロック解除を図ったことがあるか分かるように提示する端末のロック解除処理方法を提供する。
【００２９】
図１は、本発明の実施例にかかる端末のロック解除処理方法のフローチャートである。本実施例の方法は、端末に用いられ、以下のステップを含む。
【００３０】
ステップＳ１０１において、入力されたロック解除命令を受信する。
ステップＳ１０２において、ロック解除命令に基づいて、現在のロック解除者が第１の設定群に該当するか否かを判断する。
ステップＳ１０３において、現在のロック解除者が第１の設定群に該当しない場合、現在のロック解除者の情報を取得して保存する。
現在のロック解除者が第１の設定群に該当する場合、本処理を終了し、正常的にロック解除してホーム画面を表示する。
【００３１】
実際の応用において、使用者が端末の画面ロックインターフェースにロック解除命令を入力するが、当該ロック解除命令は、キャラクターパスワード情報、パターン情報、生物認識情報によるものであって、予め設定された数字パスワード、特定のパターン、顔画像、音声情報、或いは指紋情報などを含む。数字パスワードを例とすると、ロック解除者が非法使用者である場合、入力されたパスワードは予め設定されたパスワードではなく、端末は、間違ったパスワードを受信した後、ロック解除者が端末所有者ではないと判断すると、当該ロック解除者の情報を取得して保存し、これによって、端末所有者がロック解除した後どんな人達が本機器に対してロック解除を図ったことがあるか分かるようにする。
【００３２】
本発明の実施例は、情報収集装置を利用してロック解除者の情報を取得することができる。図２は、本発明の他の実施例のロック解除処理方法を示すフローチャートである。本実施例の方法は、端末に用いられ、以下のステップを含む。
【００３３】
ステップＳ２０１において、入力されたロック解除命令を受信する。
ステップＳ２０２において、ロック解除命令に基づいて、現在のロック解除者が第１の設定群に該当するか否かを判断し、第１の設定群に該当しない場合、継続してステップ２０３を実行し、そうではない場合、本処理を終了し、正常的にロック解除してホーム画面を表示する。
【００３４】
ステップＳ２０３において、現在のロック解除者が第１の設定群に該当しない場合、情報収集装置を作動させて現在のロック解除者の情報を収集させる。ここで、ロック解除者の情報は、その顔画像情報、音声情報、或いは指紋情報を含む。
実際の応用において、上記情報収集装置は、端末のカメラ、マイク、指紋登録装置などを含む。カメラを例とすると、非法使用者が間違ったロック解除命令を入力すると、端末は、端末に装着されたカメラを作動させて画面の前方に位置するロック解除者を捕捉して撮影させ、写真をローカル、或いはクラウドに保存する。端末所有者は、写真に基づいてロック解除者の身分を判断することができる。なお、本機器のロック解除命令が生物認識技術によるものである場合、マイク、或いは指紋登録装置によってロック解除者の音声情報、或いは指紋情報を容易に収録することができ、既存の音声情報、或いは指紋情報と比べてロック解除者の身分を判断することができる。
【００３５】
本発明の実施例においては、端末所有者の家族、友達などの特定の使用者を認識し、このような特定の使用者に、対応する使用権限を与えるために、ロック解除者に対する２回判断メカニズムを設置することができる。図３は、本発明の他の実施例のロック解除処理方法を示すフローチャートである。本実施例の方法は、端末に用いられ、以下のステップを含む。
【００３６】
ステップＳ３０１において、入力されたロック解除命令を受信する。
ステップＳ３０２において、ロック解除命令に基づいて、現在のロック解除者が第１の設定群に該当するか否かを判断し、第１の設定群に該当しない場合、継続してステップ３０３を実行し、そうではない場合、本処理を終了し、正常的にロック解除してホーム画面を表示する。
【００３７】
ステップＳ３０３において、現在のロック解除者が第１の設定群に該当しない場合、現在のロック解除者の情報を取得して保存する。
ステップＳ３０４において、現在のロック解除者の情報に基づいて、現在のロック解除者が第２の設定群に該当するか否かを判断し、第２の設定群に該当する場合、継続してステップ３０５を実行し、そうではない場合、本処理を終了する。
【００３８】
ステップＳ３０５において、現在のロック解除者が第２の設定群に該当する場合、画面ロックを解除し、制限使用モードに入る。
ステップＳ３０６において、現在のロック解除者の制限使用モードにおける操作を記録する。
ここで、制限使用モードにおいて、端末のシステム、及び／又はアプリは、予め設定された操作のみに対してフィードバックを行い、当該予め設定された操作は、端末のシステム、及び／又はアプリの作動、照会、修正、追加、及び／又は削除を含む。
【００３９】
実際の応用において、端末所有者は、自分の家族、或いは友達に本機器に対する使用権限を与えようとする際、この人達の生物認識情報を予め登録して、この人達がロック解除すると本機器がウェイクアップ（ｗａｋｅ ｕｐ）するようにすることができる。端末所有者の子供を例とすると、端末所有者は、子供の写真をローカルに保存し、子供がロック解除を図ったが間違ったパスワードを入力した場合、カメラで子供の写真を撮影し、端末システムは、現在撮影した写真と予め保存した複数枚の写真を比較し、顔認識技術を利用して現在のロック解除者が見知らぬ人ではなく、予め設定された群のうちの一人であると判断すると、画面ロックを解除し、携帯電話はウェイクアップ（ｗａｋｅ−ｕｐ）状態に入る。
【００４０】
さらに、本発明の実施例においては、家族、友達などの特定の使用者に対して、適する使用モードを予め設定することができる。このような使用モードにおいて、特定の使用者は、画面ロックを解除することはできるが、本機器のオペレーティングシステム、或いはインストールされたアプリに対して制限された操作のみを行うことができる。継続して子供を例とすると、子供に対応する使用モードにおいて、端末をロック解除した後、ゲーム類のアプリは使用可能であるが、消費類のアプリは使用不可能であり、いずれの修正と追加、削除命令も実行できないように予め設定して、子供の誤動作により消費費用が発生したり、他の変更が発生することを防止する。端末所有者は、異なる特定の使用者に対して異なる使用モードを設定し、個人プライバシー情報についてはいずれの使用モードにおいてもアクセスできないように設定して、個人プライバシーを保護する。本発明の実施例において、特定の使用者に完全な使用権限を与えてもよい。
【００４１】
さらに、本発明の実施例は、特定の使用者が本機器に対する操作も記録する。当該操作は、端末のシステム、アプリに対して実行する作動、照会、修正、追加、削除などを含む。
【００４２】
本発明の実施例は、端末所有者がロック解除した後、その前のロック解除者の情報を表示する。図４は、本発明の他の実施例のロック解除処理方法を示すフローチャートである。本実施例の方法は、端末に用いられ、以下のステップを含む。
【００４３】
ステップＳ４０１において、入力されたロック解除命令を受信する。
ステップＳ４０２において、ロック解除命令に基づいて、現在のロック解除者が第１の設定群に該当するか否かを判断し、第１の設定群に該当する場合、継続してステップ４０３を実行し、そうではない場合、本処理を終了し、その後のステップは、ステップ２０３とステップ３０３を参照することができる。
【００４４】
ステップＳ４０３において、現在のロック解除者が第１の設定群に該当する場合、ロックを解除する。
ステップＳ４０４において、保存されていて、且つ第１の設定群に該当しないロック解除者の情報、及び／又は操作を表示する。
【００４５】
ここで、第１の設定群に該当しないロック解除者の情報は、第１の設定群に該当しないロック解除者の顔画像情報、音声情報、或いは指紋情報を含む。
【００４６】
ここで、第１の設定群に該当しないロック解除者の操作は、第１の設定群に該当しないロック解除者が、制限使用モードにおいて行なう端末のシステム、及び／又はアプリの作動、照会、修正、追加、及び／又は削除を含む。
【００４７】
実際の応用において、端末所有者が正しいロック解除命令を入力すると、画面がロック解除され、正常的な使用モードに入り、その前に取得した、端末所有者以外のロック解除者の情報、即ち、撮影した写真、録音した音声、或いは入力された指紋などを表示し、ロック解除者のうち、端末所有者が予め設定された特定の使用者が存在する場合、特定の使用者の本機器に対する操作記録も表示する。
【００４８】
本発明の実施例によると、特定の使用者の本機器に対する操作変更をキャンセルすることができる。図５は、本発明の他の実施例のロック解除処理方法を示すフローチャートである。本実施例の方法は、端末に用いられ、以下のステップを含む。
【００４９】
ステップＳ５０１において、入力されたロック解除命令を受信する。
ステップＳ５０２において、ロック解除命令に基いて、現在のロック解除者が第１の設定群に該当するか否かを判断し、第１の設定群に該当する場合、継続してステップ５０３を実行し、そうではない場合、本処理を終了し、その後のステップは、ステップ２０３とステップ３０３を参照することができる。
【００５０】
ステップＳ５０３において、現在のロック解除者が第１の設定群に該当する場合、ロックを解除する。
ステップＳ５０４において、保存されていて、且つ第１の設定群に該当しないロック解除者の情報と操作を表示する。
ステップＳ５０５において、提示情報を出力して、操作に対するキャンセル要否を提示する。
ステップＳ５０６において、キャンセル確定されると、操作をキャンセルする。
【００５１】
実際の応用において、本発明の実施例は、さらにキャンセル機能を提供し、特定の使用者の本機器に対する操作をキャンセルして、システムとアプリをその前の状態に復元させることができる。端末所有者に対して、特定の使用者の本機器に対する操作記録を表示した後、キャンセルオプションを提示し、端末所有者が同意するとキャンセルして、システムとアプリを操作以前の状態に復元させる。例えば、端末所有者の彼女が特定の使用者のうちの一人であり、彼女が本機器をロック解除して、対応する制限使用モードに入り、当該モードにおいて本機器に地図アプリをインストールし、天気予報アプリを削除し、インスタントメッセージアプリのプローピル写真を変更したとする。端末所有者が再度本機器を使用するとき、彼女が行った上記操作を確認することができ、キャンセル要否に関するポップアップダイアログにおいて、「キャンセル確認」を選択すると、当該地図アプリが削除され、当該天気予報アプリが復元され、当該インスタントメッセージアプリのプローピル写真設置が復元されて、本機器の設置は彼女が操作する前の状態に復元される。本発明の実施例において、ワンキーキャンセルによって元の設置に復元させてもよく、選択的に一つずつキャンセルして興味を持つ操作痕跡を残してもよい。
【００５２】
本発明の実施例において、端末所有者がロック解除した後、端末所有者が前回にロック解除してから今回にロック解除するまでの間にシステムが取得した非法使用者の情報のみを表示する。さらに前の履歴情報は照会を通じて取得することができる。このような処理方法は、端末所有者が最近発生したロック解除事件を迅速に把握することができるようにする利点がある。
【００５３】
本発明の実施例は、現在のロック解除者に対して２回身分判断を行う。図６は、本発明の他の実施例のロック解除処理方法を示すフローチャートである。本実施例の方法は、端末に用いられ、以下のようなステップを含む。
【００５４】
ステップＳ６０１において、入力されたロック解除命令を受信する。
ステップＳ６０２において、ロック解除命令に基づいて、現在のロック解除者が第１の設定群に該当するか否かを判断し、第１の設定群に該当しない場合、継続してステップ６０３を実行し、そうではない場合、本処理を終了し、正常的にロック解除し、ホーム画面を表示することができる。
【００５５】
ステップＳ６０３において、現在のロック解除者が第１の設定群に該当しない場合、現在のロック解除者の情報を取得して保存する。
ステップＳ６０４において、現在のロック解除者の情報に基づいて、現在のロック解除者が第２の設定群に該当するか否かを判断し、第２の設定群に該当しない場合、継続してステップ６０５を実行し、そうではない場合、本処理を終了し、その前のステップは、ステップ３０５を参照することができる。
ステップＳ６０５において、現在のロック解除者が第２の設定群に該当しない場合、画面ロック状態に入る。
【００５６】
実際の応用において、端末所有者でもなく特定の使用者でもないロック解除者に対してその身分認識情報のみを取得し、ロック解除を禁止する。
いつ画面ロック解除インターフェースをオンさせるかについて、本発明の実施例は、端末の傾斜角を利用して判断する。入力されたロック解除命令を受信する前に、端末の軸線を含む平面が水平面となす傾斜角に基づいて、画面ロック解除インターフェースの表示要否を判断する。傾斜角が予め設定された閾値以上である場合、画面ロック解除インターフェースを表示する。
【００５７】
図７は、本発明の実施例の端末の空間配置の角度関係を模式的に示す図である。図７は、側断面図であり、端末１００は携帯電話であり、その軸線を含む平面２００が水平面３００となす角度はθであり、θは０°〜１８０°の角度である。ロック解除者が当該携帯電話を手に持つと、携帯電話は自動的にθの値を検出し、θの値が予め設定された閾値（例えば、３０°、６０°、９０°など）に到達すると、画面ロック解除インターフェースをオンさせて、使用者が入力したロック解除命令を受信することができるようにする。このような設置によって、使用者が携帯電話の配置方向を変更することだけで画面をオンさせることができるため、機械的な操作を必要とせず、使いやすく、使用者に斬新の操作体験をもたらすことができるとの利点がある。
【００５８】
さらに、端末１００は、タブレットＰＣ、電子ブック、或いは装着型装置などでもよい。θの値が予め設定された閾値以上であり、かつ所定の時間維持した後に、例えばθが９０°である状態を持続して５秒以上維持した後に、ロック解除インターフェースをオンさせる。このことによって、日常生活において携帯電話を携帯する際、任意に置くことによりロック解除インターフェースが頻繁にオンすることを防止することができる。
【００５９】
図８は、本発明の実施例において顔認識機能を有する携帯電話に対する画面ロック解除処理を示すフローチャートである。まず、使用者は、携帯電話を持って、その傾斜角が閾値に到達するようにした後、５秒間維持する。携帯電話は、自分の傾斜角が予め設定された閾値に到達したか否かを検出し（ステップ８０１）、閾値に到達していない場合、携帯電話は依然として画面消灯状態を維持し（ステップ８０２）、閾値に到達した場合、画面をオンさせ、パスワードを入力するインターフェースを表示する。入力されたロック解除命令を受信し、受信したロック解除命令が正しいか否かを判断する（ステップ８０３）。ロック解除命令が正しい場合、画面をロック解除して携帯電話の正常的な使用を可能にし、その前に他人が本携帯電話をロック解除したことがあると、そのロック解除者の写真情報、及び本携帯電話に対する操作情報を表示する（ステップ８０４）。携帯電話は、さらに操作記録情報を表示し、ワンキーキャンセルオプションなどを提供する。ロック解除命令が正しくない場合、当該使用者が非法使用者であることを意味し、カメラを作動させてロック解除者の顔画像を撮影させる（ステップ８０５）。また、顔認識技術を利用して、予め設定された特定の群衆の写真と比較し（ステップ８０６）、当該ロック解除者が特定の使用者のうちの一人である場合、画面をロック解除し、当該特定の使用者に対応する制限使用モードに入り（ステップ８０７、８０８、８０９）、その操作情報を記録する（ステップ８１１、８１２、８１３）。例えば、本実施例において、予め３種類の特定の使用者を設定し、それぞれ、特定の使用者１、特定の使用者２、及び特定の使用者３であるとする。認識によって特定の使用者１であることを確定すると、継続してステップ８０７とステップ８１１を実行する。認識によって特定の使用者２であることを確定すると、継続してステップ８０８とステップ８１２を実行する。認識によって特定の使用者３であることを確定すると、継続してステップ８０９とステップ８１３を実行する。現在のロック解除者がいずれの特定の使用者でもない場合、特定の使用者ではないことを意味し、その人は本携帯電話に対する使用権限がなく、携帯電話は、画面消灯状態に入る（ステップ８１０）。
【００６０】
本発明の実施例は、さらに端末のロック解除処理装置を提供する。図９は、その構成を模式的に示す図であり、受信モジュール１００１、第１の判断モジュール１００２、及び情報取得処理モジュール１００３を含む。
【００６１】
受信モジュール１００１は、入力されたロック解除命令を受信する。
第１の判断モジュール１００２は、ロック解除命令に基づいて、現在のロック解除者が第１の設定群に該当するか否かを判断する。
情報取得処理モジュール１００３は、現在のロック解除者が第１の設定群に該当しない場合、現在のロック解除者の情報を取得して保存する。
【００６２】
本発明の他の実施例は、さらに端末のロック解除処理装置を提供する。図１０は、その構成を模式的に示す図であり、図９の実施例との差異点は、ロック解除理装置が装置作動モジュール１００４をさらに含むことにある。当該装置作動モジュール１００４は、現在のロック解除者が第１の設定群に該当しない場合、情報収集装置を作動させる。
【００６３】
ここで、情報収集装置は、カメラ、マイク、指紋登録装置などを含み、作動すると、現在のロック解除者の顔画像情報、音声情報、指紋情報などを収集することができる。
【００６４】
本発明の他の実施例は、さらに端末のロック解除処理装置を提供する。図１１は、その構成を模式的に示す図であり、図９の実施例との差異点は、当該ロック解除処理装置が第２の判断モジュール１００５、第２のロック解除処理モジュール１００６、及び記録処理モジュール１００７をさらに含むことにある。
【００６５】
第２の判断モジュール１００５は、現在のロック解除者の情報に基づいて、現在のロック解除者が第２の設定群に該当するか否かを判断する。
第２のロック解除処理モジュール１００６は、現在のロック解除者が第２の設定群に該当する場合、画面をロック解除して制限使用モードに入らせる。
記録処理モジュール１００７は、現在のロック解除者の制限使用モードにおける操作を記録する。
【００６６】
ここで、制限使用モードにおいて、端末のシステム、及び／又はアプリは、予め設定された操作のみに対してフィードバックを行い、当該操作は、端末のシステム、及び／又はアプリの作動、照会、修正、追加、削除などの操作を含む。
【００６７】
本発明の他の実施例は、さらに端末のロック解除処理装置を提供する。図１２は、その構成を模式的に示す図であり、図９の実施例との差異点は、当該ロック解除処理装置が第１のロック解除処理モジュール１００８と表示処理モジュール１００９をさらに含むことにある。
【００６８】
第１のロック解除処理モジュール１００８は、現在のロック解除者が第１の設定群に該当する場合、ロックを解除し、表示処理モジュール１００９は、第１の設定群に該当しないロック解除者の情報を表示する。
【００６９】
本発明の他の実施例は、さらに端末のロック解除処理装置を提供する。図１３は、その構成を模式的に示す図であり、図１１の実施例との差異点は、当該ロック解除処理装置が第１のロック解除処理モジュール１００８と表示処理モジュール１００９をさらに含むことにある。
【００７０】
第１のロック解除処理モジュール１００８は、現在のロック解除者が第１の設定群に該当する場合、ロックを解除し、表示処理モジュール１００９は、第１の設定群に該当しないロック解除者の操作を表示する。
【００７１】
本発明の他の実施例は、さらに端末のロック解除処理装置を提供する。図１４は、その構成を模式的に示す図であり、図１３の実施例との差異点は、当該ロック解除処理装置が情報出力モジュール１０１０とキャンセル処理モジュール１０１１をさらに含むことにある。
情報出力モジュール１０１０は、提示情報を出力して、操作に対するキャンセル要否を提示する。
キャンセル処理モジュール１０１１は、確認をフィードバックされると操作をキャンセルする。
【００７２】
本発明の他の実施例は、さらに端末のロック解除処理装置を提供し、図９の実施例との差異点は、当該ロック解除処理装置が傾斜角判断モジュールとインターフェース処理モジュールをさらに含むことにある。
【００７３】
傾斜角判断モジュールは、端末の軸線を含む平面が水平面となす傾斜角に基づいて、画面ロック解除インターフェースの表示要否を判断し、傾斜角が予め設定された閾値に到達すると、画面ロック解除インターフェースを表示する。インターフェース作動モジュールは、傾斜角が予め設定された閾値以上である場合、画面ロック解除インターフェースを表示する。
【００７４】
本発明の実施例は、非法使用者の情報を記録して端末所有者に確認させることができので、端末所有者は、次にロック解除する際、誰が本機器を使用したのかを分かるようになるため、端末のロック解除履歴を把握することができ、端末所有者にリスクを排除するように注意を与えることができる。生物認識機能を有する端末は、本発明を通じて、一つの端末を複数の人が使用することを可能にし、異なる人に異なる使用権限を与え、端末所有者は使用者がどんな操作を行ったか分かることができ、ワンキー復帰を通じて使用者の操作がもたらす影響をキャンセルすることができ、端末所有者の端末に対する維持保守負担を減少させる。
【００７５】
一方、本発明の他の実施例では、さらに、図１５に示すような端末装置を提供する。図１５は、当該端末装置の構成を模式的に示す図である。当該端末装置は、上記実施例に係る端末装置のロック解除処理方法を実行することができる。ここで、当該端末は、携帯電話、タブレットＰＣ、装着型携帯デバイス（例えば、スマート・ウォッチ）などであってもよい。
【００７６】
端末装置７００は、通信ユニット１１０、コンピューターが読み取り可能な記録媒体を一つ以上含むメモリ１２０、入力ユニット１３０、表示ユニット１４０、センサー１５０、オーディオ回路１６０、無線通信ユニット１７０、一つ以上の処理コアを有するプロセッサ１８０、及び電源１９０などの部品を含む。当業者は、図１５に示す端末装置の構成は端末装置に対する限定ではなく、当該端末装置が、図示した部品より多い数、または少ない数の部品を備えてもよく、或いは、幾つかの部品の組み合わせ、または異なる部品配置を有してもよい、ことを理解すべきである。
【００７７】
ここで、通信ユニット１１０は、情報の送受信または通話中において、信号を受信及び送信するためのものである。当該通信ユニット１１０は、ＲＦ（Ｒａｄｉｏ Ｆｒｅｑｕｅｎｃｙ）回路、ルーター、モデム等のネットワーク通信装置であってもよい。特に、通信ユニット１１０がＲＦ回路である場合、基地局からの下り情報を受信した後、１つ、或いは１つ以上のプロセッサ１８０に渡して処理させる。また、上りデータを基地局に送信する。一般的に、通信ユニットとしてのＲＦ回路は、アンテナ、少なくとも１つのアンプ、チューナー、１つ又は複数の発振器、加入者識別モジュール（ＳＩＭ）カード、受発信機、カプラー、ＬＮＡ（Ｌｏｗ Ｎｏｉｓｅ Ａｍｐｌｉｆｉｅｒ、ローノイズアンプ）、デュプレクサ等を含むが、これらに限らない。なお、通信ユニット１１０は、無線通信でネットワーク、及び他の装置と通信することができる。上記無線通信として、ＧＳＭ（Ｇｌｏｂａｌ Ｓｙｓｔｅｍ ｏｆ Ｍｏｂｉｌｅ ｃｏｍｍｕｎｉｃａｔｉｏｎ）、ＧＰＲＳ（Ｇｅｎｅｒａｌ Ｐａｃｋｅｔ Ｒａｄｉｏ Ｓｅｒｖｉｃｅ）、ＣＤＭＡ（Ｃｏｄｅ Ｄｉｖｉｓｉｏｎ Ｍｕｌｔｉｐｌｅ Ａｃｃｅｓｓ）、ＷＣＤＭＡ（Ｗｉｄｅｂａｎｄ Ｃｏｄｅ Ｄｉｖｉｓｉｏｎ Ｍｕｌｔｉｐｌｅ Ａｃｃｅｓｓ）、ＬＴＥ（Ｌｏｎｇ Ｔｅｒｍ Ｅｖｏｌｕｔｉｏｎ）、電子メール、ＳＭＳ（Ｓｈｏｒｔ Ｍｅｓｓａｇｉｎｇ Ｓｅｒｖｉｃｅ）等を含む任意の通信規格またはプロトコルを利用してもよいが、これらに限らない。メモリ１２０は、ソフトウェアプログラム及びモジュールを格納するためのものであり、プロセッサ１８０は、メモリ１２０に格納されたソフトウェアプログラム及びモジュールを実行することで、各種機能のアプリ及びデータ処理を実施する。メモリ１２０には、主に、プログラム格納領域とデータ格納領域を有する。プログラム格納領域には、ＯＳ（Ｏｐｅｒａｔｉｎｇ Ｓｙｓｔｅｍ）、少なくとも１つの機能を実行するアプリ（例えば、音声再生機能、画像再生機能等）等が格納される。データ格納領域には、端末装置７００の使用により作成されたデータ（例えば、オーディオデータ、電話帳等）等が格納される。また、メモリ１２０は、高速ＲＡＭ（Ｒａｎｄｏｍ Ａｃｃｅｓｓ Ｍｅｍｏｒｙ）を含んでもよく、さらに、例えば少なくとも１つの磁気ディスクメモリ、フラッシュメモリなどの不揮発性メモリ、或いは他の揮発性のＳＳＤ（ｓｏｌｉｄ ｓｔａｔｅ ｄｒｉｖｅ）メモリを含んでもよい。また、メモリ１２０は、プロセッサ１８０及び入力ユニット１３０がメモリ１２０にアクセスできるように、メモリ制御器をさらに含んでもよい。
【００７８】
入力ユニット１３０は、数字或いはキャラクター情報の入力の受け付け、及び、ユーザ設定及び機能制御に関するキーボード、マウス、ジョイスティック、光学ボールやトラックボールにより信号入力を発生させるためのものである。入力ユニット１３０は、タッチセンシティブ表面１３１及び他の入力装置１３２を含んでもよい。タッチセンシティブ表面１３１は、タッチパネルやタッチパッドとも呼ばれ、ユーザがその表面上や付近に対するタッチ操作（例えば、ユーザが指やタッチペンなどの任意の適した物や付属品を使用して、タッチセンシティブ表面１３１上やタッチセンシティブ表面１３１付近に対して行う操作）を収集するとともに、予め設定されたプログラムにしたがって、関連する接続装置を駆動する。タッチセンシティブ表面１３１は、選択的に、タッチ検出手段及びタッチ制御器の２つの部分を含んでもよい。ここで、タッチ検出手段は、ユーザのタッチ位置を検出するとともに、タッチ操作による信号を検出し、そのタッチ情報をタッチ制御器に送信する。タッチ制御器は、タッチ検出手段からタッチ情報を受信し、当該情報を接触点座標に変換してプロセッサ１８０に送信するとともに、プロセッサ１８０からのコマンドを受信して実行する。なお、抵抗式、容量式、赤外線式及び表面弾性波式などの様々な方式によりタッチセンシティブ表面１３１を実現することができる。入力ユニット１３０は、タッチセンシティブ表面１３１に加えて、他の入力装置１３２をさらに含んでもよい。他の入力装置１３２は、物理的なキーボード、ファンクションキー（例えば、ボリュームボタン、スイッチボタン等）、トラックボール、マウス、ジョイスティック等の中の一つ又は複数を含んでもよいが、これらに限らない。
【００７９】
表示ユニット１４０は、ユーザが入力した情報やユーザに提供する情報、及び端末装置７００の各種のグラフィカル・ユーザー・インターフェース（ＧＵＩ）を表示するためのものであり、これらのグラフィカル・ユーザー・インターフェースは、図形、テキスト、アイコン、ビデオ及びそれらの任意の組合せで構成されることができる。表示ユニット１４０は、表示パネル１４１を含む。表示パネル１４１は、ＬＣＤ（Ｌｉｑｕｉｄ Ｃｒｙｓｔａｌ Ｄｉｓｐｌａｙ）、ＯＬＥＤ（Ｏｒｇａｎｉｃ Ｌｉｇｈｔ−Ｅｍｉｔｔｉｎｇ Ｄｉｏｄｅ）等の形態で構成されてもよい。さらに、タッチセンシティブ表面１３１は、表示パネル１４１を覆うように設けられ、タッチセンシティブ表面１３１がその表面または付近に対するタッチ操作を検出すると、その検出結果をプロセッサ１８０に転送してタッチイベントのタイプを確認させ、その後、プロセッサ１８０は、タッチイベントのタイプに基づいて、表示パネル１４１上に対応する視覚的出力を提供するように構成されてもよい。図１５において、タッチセンシティブ表面１３１と表示パネル１４１とが２つの独立した部品として出力及び入力の機能を実現するように構成されているが、タッチセンシティブ表面１３１と表示パネル１４１とを集積構成して入力及び出力機能を実現する実施例もあり得る。
【００８０】
端末装置７００は、さらに、例えば光センサー、運動センサー及び他のセンサーなどの、少なくとも１つのセンサー１５０を含んでもよい。光センサーは、環境光センサーと近接センサーを含んでもよいが、環境光センサーは、環境光の明るさに基づいて、表示パネル１４１の輝度を調整することができ、近接センサーは、端末装置７００が耳元まで移動すると、表示パネル１４１及び／又はバックライトをオフする。運動センサーの一種としての重力加速度センサーは、各方向（一般的には、３軸）における加速度の大きさを検出することができ、静止の状態では、重力の大きさ及びその方向を検出することができるので、携帯電話の姿勢を認識するアプリ（例えば、画面の横縦向きの切り替え、ゲーム、磁力計の姿勢校正）、振動認識に関する機能（例えば、歩数計、パーカッション）等に使用される。端末装置７００には、さらに、ジャイロスコープ、気圧計、湿度計、温度計、赤外線センサー等のほかのセンサーが備えられるが、ここで、その具体的な説明は省略する。
【００８１】
オーディオ回路１６０、スピーカ１６１、マイク１６２は、ユーザと端末装置７００との間のオーディオインターフェースを提供する。オーディオ回路１６０は、受信したオーディオデータから変換された電気信号をスピーカ１６１に転送し、スピーカ１６１により音声信号に変換して出力する。一方、マイク１６２は、収集した音声信号を電気信号に変換し、オーディオ回路１６０が当該電気信号を受信した後オーディオデータに変換し、オーディオデータをプロセッサ１８０に転送して処理してから、ＲＦ回路１１０を介して例えば他の端末に転送するか、或いはオーディオデータをメモリ１２０に送信して更に処理を行うようにする。オーディオ回路１６０は、端末装置７００が外部のイヤホンと通信できるように、イヤホン挿入孔を含んでもよい。
【００８２】
当該端末装置は、無線通信を実現するために、無線通信ユニット１７０を備えてもよい。当該無線通信ユニット１７０は、ＷｉＦｉ（ｗｉｒｅｌｅｓｓ ｆｉｄｅｌｉｔｙ）モジュールであってもよい。ＷｉＦｉは近距離無線通信技術に属し、ユーザに無線のブロードバンドインターネットアクセスを提供するので、ユーザは、端末装置７００の無線通信ユニット１７０を利用して、電子メールの送受信、ウェブの閲覧、ストリーミングメディアのアクセス等を行なうことができる。図１５において、無線通信ユニット１７０を示しているが、当該無線通信ユニット１７０は、端末装置７００にとって不可欠な構成ではなく、本発明の趣旨を変更しない範囲内で必要に応じて省略することができる、ことを理解すべきである。
【００８３】
プロセッサ１８０は、端末装置７００の制御センターであり、各種のインターフェース及び回路を介して携帯電話全体の各部と接続され、メモリ１２０内に格納されたソフトウェアプログラム及び／又はモジュールを実行または作動させるとともに、メモリ１２０内に格納されたデータを呼び出すことによって、端末装置７００の各種機能の実行及びデータの処理を実現することで、携帯電話全体をコントロールする。プロセッサ１８０は、１つ又は複数の処理コアを含んでもよく、アプリプロセッサとモデムプロセッサを集積して構成されてもよい。ここで、アプリプロセッサは、主に、ＯＳ、ユーザインターフェース、及びアプリなどを処理し、モデムプロセッサは、主に、無線通信を処理する。また、上記モデムプロセッサがプロセッサ１８０に集積されなくてもよい、ことを理解すべきである。
【００８４】
端末装置７００は、さらに、各部に電力を供給する電源１９０（例えば、バッテリー）を含み、当該電源１９０は、電源管理システムを介してプロセッサ１８０にロジック的に接続されることにより、電源管理システムを介して充電・放電管理、及び電力管理等の機能を実現することができる。電源１９０は、さらに、１つ或いは１つ以上の直流又は交流電源、再充電システム、電源故障検出回路、電源コンバータ又はインバータ、電源状態インジケータ等の任意のアセンブリを含んでもよい。端末装置７００は、図示してはないが、カメラ、ブルートゥースモジュール等をさらに含んでもよいが、ここで、その具体的な説明は省略する。
【００８５】
具体的に、本実施例において、当該端末装置は、メモリ、及びメモリに記憶されている一つ又は一つ以上のプログラムを含む。ここで、一つ又は一つ以上のプログラムは、メモリに記憶され、且つ一つ又は一つ以上のプロセッサにより実行されるとともに、入力されたロック解除命令を受信し、ロック解除命令に基づいて現在のロック解除者が第１の設定群に該当するか否かを判断し、現在のロック解除者が第１の設定群に該当しない場合、現在のロック解除者の情報を取得して保存する、操作を行うための指令を含む。
【００８６】
上記メモリに記憶されているプログラムは、現在のロック解除者が第１の設定群に該当しない場合、情報収集装置を作動させ、情報収集装置により現在のロック解除者の顔画像情報、音声情報、或いは指紋情報を含む現在のロック解除者の情報を収集する、操作を行なうための指令をさらに含む。
【００８７】
上記メモリに記憶されているプログラムは、現在のロック解除者が第１の設定群に該当しない場合、現在のロック解除者の情報を取得して保存した後、現在のロック解除者の情報に基づいて現在のロック解除者が第２の設定群に該当するか否かを判断し、現在のロック解除者が第２の設定群に該当する場合、画面をロック解除して制限使用モードに入り、現在のロック解除者の制限使用モードにおける操作を記録する、操作を行なうための指令をさらに含む。
【００８８】
ここで、制限使用モードにおいて、端末のシステム、及び／又はアプリは、予め設定された操作のみに対してフィードバックを行なう。当該操作は、端末のシステム、及び／又はアプリの作動、照会、修正、追加、及び／又は削除を含む。
【００８９】
上記メモリに記憶されているプログラムは、現在のロック解除者が第１の設定群に該当する場合、ロックを解除し、保存されていて、且つ第１の設定群に該当しないロック解除者の情報、及び／又は操作を表示する、操作を行なうための指令をさらに含む。
【００９０】
上記メモリに記憶されているプログラムは、保存されていて、且つ第１の設定群に該当しないロック解除者の操作を表示した後、提示情報を出力して操作のキャンセル要否を提示し、キャンセル確定されると操作のキャンセルを行う、操作を行なうための指令をさらに含む。
【００９１】
上記メモリに記憶されているプログラムは、現在のロック解除者が第１の設定群に該当しない場合、現在のロック解除者の情報を取得して保存した後、現在のロック解除者の情報に基づいて現在のロック解除者が第２の設定群に該当するか否かを判断し、現在のロック解除者が第２の設定群に該当しない場合、画面ロック状態に入る、操作を行なうための指令をさらに含む。
【００９２】
上記メモリに記憶されているプログラムは、入力されたロック解除命令を受信する前に、端末の軸線を含む平面が水平面となす傾斜角に基づいて画面ロック解除インターフェースの表示要否を判断し、傾斜角が予め設定された閾値以上である場合、画面ロック解除インターフェースを表示する、操作を行なうための指令をさらに含む。
【００９３】
本発明の実施例は、非法使用者の情報を記録して端末所有者に確認させることができるので、端末所有者は、その後にロック解除する際、誰が本機器を使用したことがあるのかを分かるようになるため、端末のロック解除履歴を把握することができ、端末所有者にリスクを排除するように注意を与えることができる。生物認識機能を有する端末は、本発明を通じて、一つの端末を複数の人が使用することを可能にし、異なる人に異なる使用権限を与え、端末所有者は使用者がどんな操作を行ったことがあるか確認することができ、ワンキー復帰を通じて使用者の操作がもたらす影響をキャンセルすることができ、端末所有者の端末に対する維持保守負担を減少させる。
【００９４】
本技術分野の当業者は、本発明の実施例が方法、システム、或いはコンピュータープログラム製品の形態で提供できることを理解るべきである。従って、本発明は、完全にハードウェアによる実施例、完全にソフトウェアによる実施例、或いはソフトウェアとハードウェアの組み合わせによる実施例の形態を使用することができる。本発明は、コンピューターが使用可能なプログラム指令を含む、コンピューターが使用可能な一つ或いは複数の記録媒体（磁気ディスクメモリと光学メモリなどを含むがこれに限定されない）で実施するコンピュータープログラム製品の形態を使用することができる。
【００９５】
本発明の実施例にかかる方法、端末（システム）、及びコンピュータープログラム製品のフローチャート、及び／又はブロック図を参照して本発明を記述した。コンピュータープログラム指令でフローチャート及び／又はブロック図のうちの各処理及び／又はブロック、フローチャート及び／又はブロック図のうちの処理及び／又はブロックの組み合わせを実現することができる、ということを理解すべきである。このようなコンピュータープログラム指令を汎用コンピューター、専用コンピューター、組込みプロセッサ、或いはその他のプログラミングデータ処理装置のプロセッサに供給して一つの機器を実現することができ、このようにして、コンピューター或いはその他のプログラミングデータ処理装置のプロセッサで実行する指令によって、フローチャートの一つ或いは複数の処理、及び／又は、ブロック図の一つ或いは複数のブロックで指定した機能を実現するための装置を提供することができる。
【００９６】
このようなコンピュータープログラム指令は、コンピューター、或いはその他のプログラミングデータ処理装置が特定の方式で動作するように案内する、コンピューターが読み取り可能なメモリに記憶され、当該コンピューターが読み取り可能なメモリに記憶されている指令によって、指令装置を含む製品を生成するようにしてもよい。当該指令装置は、フローチャートの一つ或いは複数の処理、及び／又は、ブロック図の一つ或いは複数のブロックで指定した機能を実現する。
【００９７】
このようなコンピュータープログラム指令は、コンピューター、或いはその他のプログラミングデータ処理装置にローディングされ、コンピューター、或いはその他のプログラミングデバイスで一連の操作ステップを実行して、コンピューターによる処理を実現してもよい。これによって、コンピューター、或いはその他のプログラミングデバイスで実行する指令を通じて、フローチャートの一つ或いは複数の処理、及び／又は、ブロック図の一つ或いは複数のブロックで指定した機能を実現するためのステップを提供する。
【００９８】
もちろん、当該技術分野の当業者は、本発明の旨と範囲を離脱しない範囲で本発明に対していろんな改変と変形を行うことができる。このように、本発明のこのような修正と変形が本発明の特許請求の範囲、及びその均等な技術の範囲に属する場合、本発明はこのような修正と変形を含むことを意図する。
【図１】
2015534405.tif 000003
【図２】
2015534405.tif 000004
【図３】
2015534405.tif 000005
【図４】
2015534405.tif 000006
【図５】
2015534405.tif 000007
【図６】
2015534405.tif 000008
【図７】
2015534405.tif 000009
【図８】
2015534405.tif 000010
【図９】
2015534405.tif 000011
【図１０】
2015534405.tif 000012
【図１１】
2015534405.tif 000013
【図１２】
2015534405.tif 000014
【図１３】
2015534405.tif 000015
【図１４】
2015534405.tif 000016
【図１５】
2015534405.tif 000017
【手続補正書】
【提出日】平成26年7月30日(2014.7.30)
【手続補正１】
【補正対象書類名】明細書
【補正対象項目名】全文
【補正方法】変更
【補正の内容】
【発明の詳細な説明】
【技術分野】
【０００１】
本願は、出願番号がＣＮ２０１３１０４４６８２３．２であって、出願日が２０１３年９月２６日である中国特許出願に基づき優先権を主張し、当該中国特許出願のすべての内容を本願に援用する。
本発明は、電子デバイスの技術分野に関し、特に、端末のロック解除処理方法、装置、端末装置、プログラム、及び記録媒体に関する。
【背景技術】
【０００２】
現在、電子通信技術の発展に伴って、人と人との情報伝達は携帯式電子デバイスの使用を離れられなくなった。携帯電話、タブレットＰＣなどを含む使用者デバイスが普遍的に使用され、このような電子デバイスの比較的大きい保存空間、及びその機能の多様化によって、使用者はデバイスに多量の個人情報を保存するのに慣れ、これはデバイスに、より高い安全性を要求している。現在、電子デバイスのロック解除方式として、数字パスワード、数独、指紋認識、音声認識、顔認識などがあり、画面ロック保安によって保護しているが、端末所有者以外の他人がロック解除を図る際、従来のロック解除形態は、ただパスワードエラー、再入力などを提示するだけ、更なる情報は提供することができず、端末所有者も他人が自分の端末に対してロック解除を図ったことについて分かるはずがなく、端末の安全上、リスクが存在する。
【発明の概要】
【発明が解決しようとする課題】
【０００３】
本発明の実施例は、非法使用者の情報を記録して端末所有者に注意を与えるための端末のロック解除処理方法、装置、端末装置、プログラム、及び記録媒体を提供する。
【課題を解決するための手段】
【０００４】
本発明の実施例の第１の局面によると、本発明は、端末のロック解除処理方法を提供し、当該端末のロック解除処理方法は、
入力されたロック解除命令を受信するステップと、
ロック解除命令に基づいて、現在のロック解除者が第１の設定群に該当するか否かを判断するステップと、
現在のロック解除者が第１の設定群に該当しない場合、現在のロック解除者の情報を取得して保存するステップとを含む。
【０００５】
本発明の実施例にかかる技術案は、端末に対してロック解除を図るが、当該ロック解除者が第１の設定群に該当しない非法使用者である場合、当該ロック解除者の情報を取得して端末所有者に確認させることができるため、端末所有者は本機器のロック解除履歴を把握することができ、使用安全性を向上させる。
【０００６】
現在のロック解除者が第１の設定群に該当しない場合、情報収集装置を作動させ、
情報収集装置により現在のロック解除者の情報を収集し、
現在のロック解除者の情報は、現在のロック解除者の顔画像情報、音声情報、又は指紋情報を含む。
【０００７】
端末所有者は、情報収集装置、例えば、端末のカメラ、マイク、指紋収集装置などを利用して非法使用者の顔画像情報、音声情報、指紋情報などを取得することによって、非法使用者の身分を容易に確認できる。
【０００８】
現在のロック解除者が第１の設定群に該当しない場合、現在のロック解除者の情報を取得して保存した後、現在のロック解除者の情報に基づいて、現在のロック解除者が第２の設定群に該当するか否かを判断し、
現在のロック解除者が第２の設定群に該当する場合、画面をロック解除して制限使用モードに入り、
現在のロック解除者の制限使用モードにおける操作を記録し、
制限使用モードにおいて、端末のシステム、及び／又はアプリは、予め設定された操作のみに対してフィードバックを行い、操作は、端末のシステム、及び／又はアプリの作動、照会、修正、追加、及び削除を含む。
【０００９】
上記技術案によると、ロック解除者の情報に基づいて２回選別判断を行い、当該ロック解除者が特定の使用者である場合、制限使用モードに入り、即ち、当該一部の特定の使用者には制限された使用権限を与え、特定の使用者が当該制限使用モードにおいて本端末に対して行った操作を記録して端末所有者に確認させる。従って、端末所有者は、本機器のロック解除履歴を把握することができるだけではなく、個人プライバシーを保護し、ロック解除者が本機器に対してどんな操作を行ったことがあるか把握することができ、使用安全性をさらに向上させる。なお、使用が制限された群衆に応急支援をすることもできる。
【００１０】
現在のロック解除者が第１の設定群に該当する場合、ロックを解除し、
保存されていて、且つ第１の設定群に該当しないロック解除者の情報、及び／又は操作を表示する。
【００１１】
上記技術案によると、正しいロック解除命令を受信した後、本機器に対してロック解除を図ったことがあるロック解除者に関する情報を表示して、提示機能を発揮する。
保存されていて、第１の設定群に該当しないロック解除者の操作を表示した後、提示情報を出力して、操作に対するキャンセル要否を提示し、キャンセル確定された場合、操作をキャンセルする。
【００１２】
上記技術案によると、非法使用者が制限使用モードにおいて本機器に対して操作を行ったことを確認すると、端末所有者がこのような操作をキャンセルできるようにキャンセルオプションを提供し、端末を非法使用者によって操作される前の状態に復元させ、端末所有者の使用に便利性を提供する。
現在のロック解除者が第１の設定群に該当しない場合、現在のロック解除者の情報を取得して保存した後、現在のロック解除者の情報に基づいて、現在のロック解除者が第２の設定群に該当するか否かを判断し、現在のロック解除者が第２の設定群に該当しない場合、画面ロック状態に入る。
【００１３】
上記技術案によると、ロック解除者の情報に基づいて２回選別判断を行い、当該ロック解除者が端末所有者でもなく、予め設定された特定の使用者群でもない場合、その情報のみを取得して保存し、情報を取得した後、画面ロック状態に戻ってロック解除を禁止し、制限使用モードにも入らない。
入力されたロック解除命令を受信する前に、端末の軸線を含む平面が水平面となす傾斜角に基づいて、画面ロック解除インターフェースの表示要否を判断し、
傾斜角が予め設定された閾値以上である場合、画面ロック解除インターフェースを表示する。
【００１４】
上記技術案によると、ロック解除者がロック解除命令を入力しようとする際、端末が所定の角度になるように傾斜させるだけで画面ロックインターフェースをオンさせることができるため、操作が簡単である。
ロック解除命令は、キャラクターパスワード情報、パターン情報、顔画像情報、音声情報、又は指紋情報に基づくものである。
【００１５】
本発明の実施例の第２の局面によると、本発明は、端末のロック解除処理装置を提供し、当該端末のロック解除処理装置は、
入力されたロック解除命令を受信するための受信モジュールと、
ロック解除命令に基づいて、現在のロック解除者が第１の設定群に該当するか否かを判断するための判断モジュールと、
現在のロック解除者が第１の設定群に該当しない場合、現在のロック解除者の情報を取得して保存するための情報取得処理モジュールとを含む。
【００１６】
ロック解除処理装置は、情報収集装置と装置作動モジュールとをさらに含み、
装置作動モジュールは、現在のロック解除者が第１の設定群に該当しない場合、情報収集装置を作動させるためのものであり、
情報収集装置は、現在のロック解除者の情報を収集するためのものであり、
現在のロック解除者の情報は、現在のロック解除者の顔画像情報、音声情報、又は指紋情報を含む。
【００１７】
ロック解除処理装置は、さらに、
現在のロック解除者の情報に基づいて現在のロック解除者が第２の設定群に該当するか否かを判断するための第２の判断モジュールと、
現在のロック解除者が第２の設定群に該当する場合、画面をロック解除して制限使用モードに入るようにするための第２のロック解除処理モジュールと、
現在のロック解除者の制限使用モードにおける操作を記録するための記録処理モジュールとを含み、
制限使用モードにおいて、端末のシステム、及び／又はアプリは予め設定された操作のみに対してフィードバックを行い、操作は、端末のシステム、及び／又はアプリの作動、照会、修正、追加、及び／又は削除を含む。
【００１８】
ロック解除処理装置は、さらに、
現在のロック解除者が第１の設定群に該当する場合、ロックを解除するための第１のロック解除処理モジュールと、
保存されていて、且つ第１の設定群に該当しないロック解除者の情報、及び／又は操作を表示するための表示処理モジュールとを含む。
【００１９】
ロック解除処理装置は、さらに、
提示情報を出力して、操作に対するキャンセル要否を提示するための情報出力モジュールと、
操作をキャンセルするためのキャンセル処理モジュールとを含む。
【００２０】
ロック解除処理装置は、現在のロック解除者が第２の設定群に該当しない場合、画面ロック状態に入るようにするための画面ロック処理モジュールをさらに含む。
【００２１】
ロック解除処理装置は、さらに、
端末の軸線を含む平面が水平面となす傾斜角に基づいて、画面ロック解除インターフェースの表示要否を判断するための第３の判断モジュールと、
傾斜角が予め設定された閾値以上である場合、画面ロック解除インターフェースを表示するためのインターフェース処理モジュールとを含む。
【００２２】
本発明の実施例の第３の局面によると、本発明は端末装置を提供し、当該端末装置は、
メモリ、及び一つ又は一つ以上のプログラムを含み、
一つ又は一つ以上のプログラムは、メモリに記憶され、且つ一つ又は一つ以上のプロセッサにより実行されるとともに、
当該プログラムは、
入力されたロック解除命令を受信するための指令と、
ロック解除命令に基づいて、現在のロック解除者が第１の設定群に該当するか否かを判断するための指令と、
現在のロック解除者が第１の設定群に該当しない場合、現在のロック解除者の情報を取得して保存するための指令とを含む。
本発明の実施例の第４の局面によると、本発明は、プロセッサに実行されることにより、上記端末のロック解除処理方法を実現するプログラムを提供する。
本発明の実施例の第５の局面によると、本発明は、上記プログラムが記録された記録媒体を提供する。
【００２３】
本発明は、非法使用者の情報を記録して端末所有者に確認させることができるため、端末所有者は、端末のロック解除履歴を容易に把握することができ、端末の使用安全度を向上させる。生物認識機能を有する端末は、本発明を通じて、一つの端末を複数の人が使用することを可能とし、異なる人に異なる使用権限を与えて、端末所有者の個人プライバシー情報の保護に有利である。
【発明の効果】
【００２４】
本発明の他の特徴と利点は、後述する明細書にて記述され、明細書によって、部分的に明らかになるか、或いは本発明の実施を通じて分かることができる。本発明の目的、及びその他の利点は、明細書、特許請求の範囲、及び図面で特別に指定した構成で実現し獲得することができる。
【００２５】
以下に、図面と実施例を通じて、本発明の技術案に対してさらに詳しく説明する。以上の統括な記述と以下の細部記述は、ただ例示的なものであり、本発明を限定するものではないと、理解すべきである。
【図面の簡単な説明】
【００２６】
以下の図面は、明細書の一部分として明細書全体を構成することにより、本発明に合致する実施例を例示するとともに、本発明の原理を解釈するためのものである。
以下の図面は、本願の一部分として、本発明に対する更なる理解を図るためのものであって、本発明に対する限定として捉えてはいけない。
これらの図面のうち
【図１】図１は、一つの例示的な実施例にかかる端末ロック解除処理方法を示す例示的なフローチャートである。
【図２】図２は、一つの例示的な実施例にかかる端末ロック解除処理方法を示す例示的なフローチャートである。
【図３】図３は、一つの例示的な実施例にかかる端末ロック解除処理方法を示す例示的なフローチャートである。
【図４】図４は、一つの例示的な実施例にかかる端末ロック解除処理方法を示す例示的なフローチャートである。
【図５】図５は、一つの例示的な実施例にかかる端末ロック解除処理方法を示す例示的なフローチャートである。
【図６】図６は、一つの例示的な実施例にかかる端末ロック解除処理方法を示す例示的なフローチャートである。
【図７】図７は、一つの例示的な実施例にかかる端末ロック解除処理方法を示す例示的なフローチャートである。
【図８】図８は、一つの例示的な実施例にかかる顔認識機能を有する携帯電話の画面ロック解除処理を示す例示的なフローチャートである。
【図９】図９は、一つの例示的な実施例にかかる端末ロック解除処理装置の例示的な構成を模式的に示す図である。
【図１０】図１０は、一つの例示的な実施例にかかる端末ロック解除処理装置の例示的な構成を模式的に示す図である。
【図１１】図１１は、一つの例示的な実施例にかかる端末ロック解除処理装置の例示的な構成を模式的に示す図である。
【図１２】図１２は、一つの例示的な実施例にかかる端末ロック解除処理装置の例示的な構成を模式的に示す図である。
【図１３】図１３は、一つの例示的な実施例にかかる端末ロック解除処理装置の例示的な構成を模式的に示す図である。
【図１４】図１４は、一つの例示的な実施例にかかる端末ロック解除処理装置の例示的な構成を模式的に示す図である。
【図１５】図１５は、一つの例示的な実施例にかかる端末の例示的な構成を模式的に示す図である。  以上の図面を通じて、本発明の実施例を例示しているが、そのさらに具体的な内容については後述する。これらの図面及び文字記載は、本発明の趣旨の範囲を限定するためのものではなく、特定の実施例を参照として、当業者に本発明のコンセプトを理解させるためのものである。
【発明を実施するための形態】
【００２７】
以下、図面を参照しながら本発明の実施例を説明する。以下に説明する実施例はただ本発明を説明し解釈するためのものであって、本発明を限定するものではないことを理解すべきである。
【００２８】
本発明の実施例は、非法使用者が本機器に対してロック解除する際、ロック解除を禁止するだけでなく、情報収集装置を作動させてロック解除者の情報を取得することによって、端末所有者がロック解除した後、このような情報を見てどんな非法使用者が本機器に対してロック解除を図ったことがあるか分かるように提示する端末のロック解除処理方法を提供する。
【００２９】
図１は、本発明の実施例にかかる端末のロック解除処理方法のフローチャートである。本実施例の方法は、端末に用いられ、以下のステップを含む。
【００３０】
ステップＳ１０１において、入力されたロック解除命令を受信する。
ステップＳ１０２において、ロック解除命令に基づいて、現在のロック解除者が第１の設定群に該当するか否かを判断する。
ステップＳ１０３において、現在のロック解除者が第１の設定群に該当しない場合、現在のロック解除者の情報を取得して保存する。
現在のロック解除者が第１の設定群に該当する場合、本処理を終了し、正常的にロック解除してホーム画面を表示する。
【００３１】
実際の応用において、使用者が端末の画面ロックインターフェースにロック解除命令を入力するが、当該ロック解除命令は、キャラクターパスワード情報、パターン情報、生物認識情報によるものであって、予め設定された数字パスワード、特定のパターン、顔画像、音声情報、或いは指紋情報などを含む。数字パスワードを例とすると、ロック解除者が非法使用者である場合、入力されたパスワードは予め設定されたパスワードではなく、端末は、間違ったパスワードを受信した後、ロック解除者が端末所有者ではないと判断すると、当該ロック解除者の情報を取得して保存し、これによって、端末所有者がロック解除した後どんな人達が本機器に対してロック解除を図ったことがあるか分かるようにする。
【００３２】
本発明の実施例は、情報収集装置を利用してロック解除者の情報を取得することができる。図２は、本発明の他の実施例のロック解除処理方法を示すフローチャートである。本実施例の方法は、端末に用いられ、以下のステップを含む。
【００３３】
ステップＳ２０１において、入力されたロック解除命令を受信する。
ステップＳ２０２において、ロック解除命令に基づいて、現在のロック解除者が第１の設定群に該当するか否かを判断し、第１の設定群に該当しない場合、継続してステップ２０３を実行し、そうではない場合、本処理を終了し、正常的にロック解除してホーム画面を表示する。
【００３４】
ステップＳ２０３において、現在のロック解除者が第１の設定群に該当しない場合、情報収集装置を作動させて現在のロック解除者の情報を収集させる。ここで、ロック解除者の情報は、その顔画像情報、音声情報、或いは指紋情報を含む。
実際の応用において、上記情報収集装置は、端末のカメラ、マイク、指紋登録装置などを含む。カメラを例とすると、非法使用者が間違ったロック解除命令を入力すると、端末は、端末に装着されたカメラを作動させて画面の前方に位置するロック解除者を捕捉して撮影させ、写真をローカル、或いはクラウドに保存する。端末所有者は、写真に基づいてロック解除者の身分を判断することができる。なお、本機器のロック解除命令が生物認識技術によるものである場合、マイク、或いは指紋登録装置によってロック解除者の音声情報、或いは指紋情報を容易に収録することができ、既存の音声情報、或いは指紋情報と比べてロック解除者の身分を判断することができる。
【００３５】
本発明の実施例においては、端末所有者の家族、友達などの特定の使用者を認識し、このような特定の使用者に、対応する使用権限を与えるために、ロック解除者に対する２回判断メカニズムを設置することができる。図３は、本発明の他の実施例のロック解除処理方法を示すフローチャートである。本実施例の方法は、端末に用いられ、以下のステップを含む。
【００３６】
ステップＳ３０１において、入力されたロック解除命令を受信する。
ステップＳ３０２において、ロック解除命令に基づいて、現在のロック解除者が第１の設定群に該当するか否かを判断し、第１の設定群に該当しない場合、継続してステップ３０３を実行し、そうではない場合、本処理を終了し、正常的にロック解除してホーム画面を表示する。
【００３７】
ステップＳ３０３において、現在のロック解除者が第１の設定群に該当しない場合、現在のロック解除者の情報を取得して保存する。
ステップＳ３０４において、現在のロック解除者の情報に基づいて、現在のロック解除者が第２の設定群に該当するか否かを判断し、第２の設定群に該当する場合、継続してステップ３０５を実行し、そうではない場合、本処理を終了する。
【００３８】
ステップＳ３０５において、現在のロック解除者が第２の設定群に該当する場合、画面ロックを解除し、制限使用モードに入る。
ステップＳ３０６において、現在のロック解除者の制限使用モードにおける操作を記録する。
ここで、制限使用モードにおいて、端末のシステム、及び／又はアプリは、予め設定された操作のみに対してフィードバックを行い、当該予め設定された操作は、端末のシステム、及び／又はアプリの作動、照会、修正、追加、及び／又は削除を含む。
【００３９】
実際の応用において、端末所有者は、自分の家族、或いは友達に本機器に対する使用権限を与えようとする際、この人達の生物認識情報を予め登録して、この人達がロック解除すると本機器がウェイクアップ（ｗａｋｅ ｕｐ）するようにすることができる。端末所有者の子供を例とすると、端末所有者は、子供の写真をローカルに保存し、子供がロック解除を図ったが間違ったパスワードを入力した場合、カメラで子供の写真を撮影し、端末システムは、現在撮影した写真と予め保存した複数枚の写真を比較し、顔認識技術を利用して現在のロック解除者が見知らぬ人ではなく、予め設定された群のうちの一人であると判断すると、画面ロックを解除し、携帯電話はウェイクアップ（ｗａｋｅ−ｕｐ）状態に入る。
【００４０】
さらに、本発明の実施例においては、家族、友達などの特定の使用者に対して、適する使用モードを予め設定することができる。このような使用モードにおいて、特定の使用者は、画面ロックを解除することはできるが、本機器のオペレーティングシステム、或いはインストールされたアプリに対して制限された操作のみを行うことができる。継続して子供を例とすると、子供に対応する使用モードにおいて、端末をロック解除した後、ゲーム類のアプリは使用可能であるが、消費類のアプリは使用不可能であり、いずれの修正と追加、削除命令も実行できないように予め設定して、子供の誤動作により消費費用が発生したり、他の変更が発生することを防止する。端末所有者は、異なる特定の使用者に対して異なる使用モードを設定し、個人プライバシー情報についてはいずれの使用モードにおいてもアクセスできないように設定して、個人プライバシーを保護する。本発明の実施例において、特定の使用者に完全な使用権限を与えてもよい。
【００４１】
さらに、本発明の実施例は、特定の使用者が本機器に対する操作も記録する。当該操作は、端末のシステム、アプリに対して実行する作動、照会、修正、追加、削除などを含む。
【００４２】
本発明の実施例は、端末所有者がロック解除した後、その前のロック解除者の情報を表示する。図４は、本発明の他の実施例のロック解除処理方法を示すフローチャートである。本実施例の方法は、端末に用いられ、以下のステップを含む。
【００４３】
ステップＳ４０１において、入力されたロック解除命令を受信する。
ステップＳ４０２において、ロック解除命令に基づいて、現在のロック解除者が第１の設定群に該当するか否かを判断し、第１の設定群に該当する場合、継続してステップ４０３を実行し、そうではない場合、本処理を終了し、その後のステップは、ステップ２０３とステップ３０３を参照することができる。
【００４４】
ステップＳ４０３において、現在のロック解除者が第１の設定群に該当する場合、ロックを解除する。
ステップＳ４０４において、保存されていて、且つ第１の設定群に該当しないロック解除者の情報、及び／又は操作を表示する。
【００４５】
ここで、第１の設定群に該当しないロック解除者の情報は、第１の設定群に該当しないロック解除者の顔画像情報、音声情報、或いは指紋情報を含む。
【００４６】
ここで、第１の設定群に該当しないロック解除者の操作は、第１の設定群に該当しないロック解除者が、制限使用モードにおいて行なう端末のシステム、及び／又はアプリの作動、照会、修正、追加、及び／又は削除を含む。
【００４７】
実際の応用において、端末所有者が正しいロック解除命令を入力すると、画面がロック解除され、正常的な使用モードに入り、その前に取得した、端末所有者以外のロック解除者の情報、即ち、撮影した写真、録音した音声、或いは入力された指紋などを表示し、ロック解除者のうち、端末所有者が予め設定された特定の使用者が存在する場合、特定の使用者の本機器に対する操作記録も表示する。
【００４８】
本発明の実施例によると、特定の使用者の本機器に対する操作変更をキャンセルすることができる。図５は、本発明の他の実施例のロック解除処理方法を示すフローチャートである。本実施例の方法は、端末に用いられ、以下のステップを含む。
【００４９】
ステップＳ５０１において、入力されたロック解除命令を受信する。
ステップＳ５０２において、ロック解除命令に基いて、現在のロック解除者が第１の設定群に該当するか否かを判断し、第１の設定群に該当する場合、継続してステップ５０３を実行し、そうではない場合、本処理を終了し、その後のステップは、ステップ２０３とステップ３０３を参照することができる。
【００５０】
ステップＳ５０３において、現在のロック解除者が第１の設定群に該当する場合、ロックを解除する。
ステップＳ５０４において、保存されていて、且つ第１の設定群に該当しないロック解除者の情報と操作を表示する。
ステップＳ５０５において、提示情報を出力して、操作に対するキャンセル要否を提示する。
ステップＳ５０６において、キャンセル確定されると、操作をキャンセルする。
【００５１】
実際の応用において、本発明の実施例は、さらにキャンセル機能を提供し、特定の使用者の本機器に対する操作をキャンセルして、システムとアプリをその前の状態に復元させることができる。端末所有者に対して、特定の使用者の本機器に対する操作記録を表示した後、キャンセルオプションを提示し、端末所有者が同意するとキャンセルして、システムとアプリを操作以前の状態に復元させる。例えば、端末所有者の彼女が特定の使用者のうちの一人であり、彼女が本機器をロック解除して、対応する制限使用モードに入り、当該モードにおいて本機器に地図アプリをインストールし、天気予報アプリを削除し、インスタントメッセージアプリのプローピル写真を変更したとする。端末所有者が再度本機器を使用するとき、彼女が行った上記操作を確認することができ、キャンセル要否に関するポップアップダイアログにおいて、「キャンセル確認」を選択すると、当該地図アプリが削除され、当該天気予報アプリが復元され、当該インスタントメッセージアプリのプローピル写真設置が復元されて、本機器の設置は彼女が操作する前の状態に復元される。本発明の実施例において、ワンキーキャンセルによって元の設置に復元させてもよく、選択的に一つずつキャンセルして興味を持つ操作痕跡を残してもよい。
【００５２】
本発明の実施例において、端末所有者がロック解除した後、端末所有者が前回にロック解除してから今回にロック解除するまでの間にシステムが取得した非法使用者の情報のみを表示する。さらに前の履歴情報は照会を通じて取得することができる。このような処理方法は、端末所有者が最近発生したロック解除事件を迅速に把握することができるようにする利点がある。
【００５３】
本発明の実施例は、現在のロック解除者に対して２回身分判断を行う。図６は、本発明の他の実施例のロック解除処理方法を示すフローチャートである。本実施例の方法は、端末に用いられ、以下のようなステップを含む。
【００５４】
ステップＳ６０１において、入力されたロック解除命令を受信する。
ステップＳ６０２において、ロック解除命令に基づいて、現在のロック解除者が第１の設定群に該当するか否かを判断し、第１の設定群に該当しない場合、継続してステップ６０３を実行し、そうではない場合、本処理を終了し、正常的にロック解除し、ホーム画面を表示することができる。
【００５５】
ステップＳ６０３において、現在のロック解除者が第１の設定群に該当しない場合、現在のロック解除者の情報を取得して保存する。
ステップＳ６０４において、現在のロック解除者の情報に基づいて、現在のロック解除者が第２の設定群に該当するか否かを判断し、第２の設定群に該当しない場合、継続してステップ６０５を実行し、そうではない場合、本処理を終了し、その前のステップは、ステップ３０５を参照することができる。
ステップＳ６０５において、現在のロック解除者が第２の設定群に該当しない場合、画面ロック状態に入る。
【００５６】
実際の応用において、端末所有者でもなく特定の使用者でもないロック解除者に対してその身分認識情報のみを取得し、ロック解除を禁止する。
いつ画面ロック解除インターフェースをオンさせるかについて、本発明の実施例は、端末の傾斜角を利用して判断する。入力されたロック解除命令を受信する前に、端末の軸線を含む平面が水平面となす傾斜角に基づいて、画面ロック解除インターフェースの表示要否を判断する。傾斜角が予め設定された閾値以上である場合、画面ロック解除インターフェースを表示する。
【００５７】
図７は、本発明の実施例の端末の空間配置の角度関係を模式的に示す図である。図７は、側断面図であり、端末１００は携帯電話であり、その軸線を含む平面２００が水平面３００となす角度はθであり、θは０°〜１８０°の角度である。ロック解除者が当該携帯電話を手に持つと、携帯電話は自動的にθの値を検出し、θの値が予め設定された閾値（例えば、３０°、６０°、９０°など）に到達すると、画面ロック解除インターフェースをオンさせて、使用者が入力したロック解除命令を受信することができるようにする。このような設置によって、使用者が携帯電話の配置方向を変更することだけで画面をオンさせることができるため、機械的な操作を必要とせず、使いやすく、使用者に斬新の操作体験をもたらすことができるとの利点がある。
【００５８】
さらに、端末１００は、タブレットＰＣ、電子ブック、或いは装着型装置などでもよい。θの値が予め設定された閾値以上であり、かつ所定の時間維持した後に、例えばθが９０°である状態を持続して５秒以上維持した後に、ロック解除インターフェースをオンさせる。このことによって、日常生活において携帯電話を携帯する際、任意に置くことによりロック解除インターフェースが頻繁にオンすることを防止することができる。
【００５９】
図８は、本発明の実施例において顔認識機能を有する携帯電話に対する画面ロック解除処理を示すフローチャートである。まず、使用者は、携帯電話を持って、その傾斜角が閾値に到達するようにした後、５秒間維持する。携帯電話は、自分の傾斜角が予め設定された閾値に到達したか否かを検出し（ステップ８０１）、閾値に到達していない場合、携帯電話は依然として画面消灯状態を維持し（ステップ８０２）、閾値に到達した場合、画面をオンさせ、パスワードを入力するインターフェースを表示する。入力されたロック解除命令を受信し、受信したロック解除命令が正しいか否かを判断する（ステップ８０３）。ロック解除命令が正しい場合、画面をロック解除して携帯電話の正常的な使用を可能にし、その前に他人が本携帯電話をロック解除したことがあると、そのロック解除者の写真情報、及び本携帯電話に対する操作情報を表示する（ステップ８０４）。携帯電話は、さらに操作記録情報を表示し、ワンキーキャンセルオプションなどを提供する。ロック解除命令が正しくない場合、当該使用者が非法使用者であることを意味し、カメラを作動させてロック解除者の顔画像を撮影させる（ステップ８０５）。また、顔認識技術を利用して、予め設定された特定の群衆の写真と比較し（ステップ８０６）、当該ロック解除者が特定の使用者のうちの一人である場合、画面をロック解除し、当該特定の使用者に対応する制限使用モードに入り（ステップ８０７、８０８、８０９）、その操作情報を記録する（ステップ８１１、８１２、８１３）。例えば、本実施例において、予め３種類の特定の使用者を設定し、それぞれ、特定の使用者１、特定の使用者２、及び特定の使用者３であるとする。認識によって特定の使用者１であることを確定すると、継続してステップ８０７とステップ８１１を実行する。認識によって特定の使用者２であることを確定すると、継続してステップ８０８とステップ８１２を実行する。認識によって特定の使用者３であることを確定すると、継続してステップ８０９とステップ８１３を実行する。現在のロック解除者がいずれの特定の使用者でもない場合、特定の使用者ではないことを意味し、その人は本携帯電話に対する使用権限がなく、携帯電話は、画面消灯状態に入る（ステップ８１０）。
【００６０】
本発明の実施例は、さらに端末のロック解除処理装置を提供する。図９は、その構成を模式的に示す図であり、受信モジュール１００１、第１の判断モジュール１００２、及び情報取得処理モジュール１００３を含む。
【００６１】
受信モジュール１００１は、入力されたロック解除命令を受信する。
第１の判断モジュール１００２は、ロック解除命令に基づいて、現在のロック解除者が第１の設定群に該当するか否かを判断する。
情報取得処理モジュール１００３は、現在のロック解除者が第１の設定群に該当しない場合、現在のロック解除者の情報を取得して保存する。
【００６２】
本発明の他の実施例は、さらに端末のロック解除処理装置を提供する。図１０は、その構成を模式的に示す図であり、図９の実施例との差異点は、ロック解除理装置が装置作動モジュール１００４をさらに含むことにある。当該装置作動モジュール１００４は、現在のロック解除者が第１の設定群に該当しない場合、情報収集装置を作動させる。
【００６３】
ここで、情報収集装置は、カメラ、マイク、指紋登録装置などを含み、作動すると、現在のロック解除者の顔画像情報、音声情報、指紋情報などを収集することができる。
【００６４】
本発明の他の実施例は、さらに端末のロック解除処理装置を提供する。図１１は、その構成を模式的に示す図であり、図９の実施例との差異点は、当該ロック解除処理装置が第２の判断モジュール１００５、第２のロック解除処理モジュール１００６、及び記録処理モジュール１００７をさらに含むことにある。
【００６５】
第２の判断モジュール１００５は、現在のロック解除者の情報に基づいて、現在のロック解除者が第２の設定群に該当するか否かを判断する。
第２のロック解除処理モジュール１００６は、現在のロック解除者が第２の設定群に該当する場合、画面をロック解除して制限使用モードに入らせる。
記録処理モジュール１００７は、現在のロック解除者の制限使用モードにおける操作を記録する。
【００６６】
ここで、制限使用モードにおいて、端末のシステム、及び／又はアプリは、予め設定された操作のみに対してフィードバックを行い、当該操作は、端末のシステム、及び／又はアプリの作動、照会、修正、追加、削除などの操作を含む。
【００６７】
本発明の他の実施例は、さらに端末のロック解除処理装置を提供する。図１２は、その構成を模式的に示す図であり、図９の実施例との差異点は、当該ロック解除処理装置が第１のロック解除処理モジュール１００８と表示処理モジュール１００９をさらに含むことにある。
【００６８】
第１のロック解除処理モジュール１００８は、現在のロック解除者が第１の設定群に該当する場合、ロックを解除し、表示処理モジュール１００９は、第１の設定群に該当しないロック解除者の情報を表示する。
【００６９】
本発明の他の実施例は、さらに端末のロック解除処理装置を提供する。図１３は、その構成を模式的に示す図であり、図１１の実施例との差異点は、当該ロック解除処理装置が第１のロック解除処理モジュール１００８と表示処理モジュール１００９をさらに含むことにある。
【００７０】
第１のロック解除処理モジュール１００８は、現在のロック解除者が第１の設定群に該当する場合、ロックを解除し、表示処理モジュール１００９は、第１の設定群に該当しないロック解除者の操作を表示する。
【００７１】
本発明の他の実施例は、さらに端末のロック解除処理装置を提供する。図１４は、その構成を模式的に示す図であり、図１３の実施例との差異点は、当該ロック解除処理装置が情報出力モジュール１０１０とキャンセル処理モジュール１０１１をさらに含むことにある。
情報出力モジュール１０１０は、提示情報を出力して、操作に対するキャンセル要否を提示する。
キャンセル処理モジュール１０１１は、確認をフィードバックされると操作をキャンセルする。
【００７２】
本発明の他の実施例は、さらに端末のロック解除処理装置を提供し、図９の実施例との差異点は、当該ロック解除処理装置が傾斜角判断モジュールとインターフェース処理モジュールをさらに含むことにある。
【００７３】
傾斜角判断モジュールは、端末の軸線を含む平面が水平面となす傾斜角に基づいて、画面ロック解除インターフェースの表示要否を判断し、傾斜角が予め設定された閾値に到達すると、画面ロック解除インターフェースを表示する。インターフェース作動モジュールは、傾斜角が予め設定された閾値以上である場合、画面ロック解除インターフェースを表示する。
【００７４】
本発明の実施例は、非法使用者の情報を記録して端末所有者に確認させることができので、端末所有者は、次にロック解除する際、誰が本機器を使用したのかを分かるようになるため、端末のロック解除履歴を把握することができ、端末所有者にリスクを排除するように注意を与えることができる。生物認識機能を有する端末は、本発明を通じて、一つの端末を複数の人が使用することを可能にし、異なる人に異なる使用権限を与え、端末所有者は使用者がどんな操作を行ったか分かることができ、ワンキー復帰を通じて使用者の操作がもたらす影響をキャンセルすることができ、端末所有者の端末に対する維持保守負担を減少させる。
【００７５】
一方、本発明の他の実施例では、さらに、図１５に示すような端末装置を提供する。図１５は、当該端末装置の構成を模式的に示す図である。当該端末装置は、上記実施例に係る端末装置のロック解除処理方法を実行することができる。ここで、当該端末は、携帯電話、タブレットＰＣ、装着型携帯デバイス（例えば、スマート・ウォッチ）などであってもよい。
【００７６】
端末装置７００は、通信ユニット１１０、コンピューターが読み取り可能な記録媒体を一つ以上含むメモリ１２０、入力ユニット１３０、表示ユニット１４０、センサー１５０、オーディオ回路１６０、無線通信ユニット１７０、一つ以上の処理コアを有するプロセッサ１８０、及び電源１９０などの部品を含む。当業者は、図１５に示す端末装置の構成は端末装置に対する限定ではなく、当該端末装置が、図示した部品より多い数、または少ない数の部品を備えてもよく、或いは、幾つかの部品の組み合わせ、または異なる部品配置を有してもよい、ことを理解すべきである。
【００７７】
ここで、通信ユニット１１０は、情報の送受信または通話中において、信号を受信及び送信するためのものである。当該通信ユニット１１０は、ＲＦ（Ｒａｄｉｏ Ｆｒｅｑｕｅｎｃｙ）回路、ルーター、モデム等のネットワーク通信装置であってもよい。特に、通信ユニット１１０がＲＦ回路である場合、基地局からの下り情報を受信した後、１つ、或いは１つ以上のプロセッサ１８０に渡して処理させる。また、上りデータを基地局に送信する。一般的に、通信ユニットとしてのＲＦ回路は、アンテナ、少なくとも１つのアンプ、チューナー、１つ又は複数の発振器、加入者識別モジュール（ＳＩＭ）カード、受発信機、カプラー、ＬＮＡ（Ｌｏｗ Ｎｏｉｓｅ Ａｍｐｌｉｆｉｅｒ、ローノイズアンプ）、デュプレクサ等を含むが、これらに限らない。なお、通信ユニット１１０は、無線通信でネットワーク、及び他の装置と通信することができる。上記無線通信として、ＧＳＭ（Ｇｌｏｂａｌ Ｓｙｓｔｅｍ ｏｆ Ｍｏｂｉｌｅ ｃｏｍｍｕｎｉｃａｔｉｏｎ）（登録商標）、ＧＰＲＳ（Ｇｅｎｅｒａｌ Ｐａｃｋｅｔ Ｒａｄｉｏ Ｓｅｒｖｉｃｅ）、ＣＤＭＡ（Ｃｏｄｅ Ｄｉｖｉｓｉｏｎ Ｍｕｌｔｉｐｌｅ Ａｃｃｅｓｓ）、ＷＣＤＭＡ（Ｗｉｄｅｂａｎｄ Ｃｏｄｅ Ｄｉｖｉｓｉｏｎ Ｍｕｌｔｉｐｌｅ Ａｃｃｅｓｓ）（登録商標）、ＬＴＥ（Ｌｏｎｇ Ｔｅｒｍ Ｅｖｏｌｕｔｉｏｎ）、電子メール、ＳＭＳ（Ｓｈｏｒｔ Ｍｅｓｓａｇｅ Ｓｅｒｖｉｃｅ）等を含む任意の通信規格またはプロトコルを利用してもよいが、これらに限らない。メモリ１２０は、ソフトウェアプログラム及びモジュールを格納するためのものであり、プロセッサ１８０は、メモリ１２０に格納されたソフトウェアプログラム及びモジュールを実行することで、各種機能のアプリ及びデータ処理を実施する。メモリ１２０には、主に、プログラム格納領域とデータ格納領域を有する。プログラム格納領域には、ＯＳ（Ｏｐｅｒａｔｉｎｇ Ｓｙｓｔｅｍ）、少なくとも１つの機能を実行するアプリ（例えば、音声再生機能、画像再生機能等）等が格納される。データ格納領域には、端末装置７００の使用により作成されたデータ（例えば、オーディオデータ、電話帳等）等が格納される。また、メモリ１２０は、高速ＲＡＭ（Ｒａｎｄｏｍ Ａｃｃｅｓｓ Ｍｅｍｏｒｙ）を含んでもよく、さらに、例えば少なくとも１つの磁気ディスクメモリ、フラッシュメモリなどの不揮発性メモリ、或いは他の揮発性のＳＳＤ（ｓｏｌｉｄ ｓｔａｔｅ ｄｒｉｖｅ）メモリを含んでもよい。また、メモリ１２０は、プロセッサ１８０及び入力ユニット１３０がメモリ１２０にアクセスできるように、メモリ制御器をさらに含んでもよい。
【００７８】
入力ユニット１３０は、数字或いはキャラクター情報の入力の受け付け、及び、ユーザ設定及び機能制御に関するキーボード、マウス、ジョイスティック、光学ボールやトラックボールにより信号入力を発生させるためのものである。入力ユニット１３０は、タッチセンシティブ表面１３１及び他の入力装置１３２を含んでもよい。タッチセンシティブ表面１３１は、タッチパネルやタッチパッドとも呼ばれ、ユーザがその表面上や付近に対するタッチ操作（例えば、ユーザが指やタッチペンなどの任意の適した物や付属品を使用して、タッチセンシティブ表面１３１上やタッチセンシティブ表面１３１付近に対して行う操作）を収集するとともに、予め設定されたプログラムにしたがって、関連する接続装置を駆動する。タッチセンシティブ表面１３１は、選択的に、タッチ検出手段及びタッチ制御器の２つの部分を含んでもよい。ここで、タッチ検出手段は、ユーザのタッチ位置を検出するとともに、タッチ操作による信号を検出し、そのタッチ情報をタッチ制御器に送信する。タッチ制御器は、タッチ検出手段からタッチ情報を受信し、当該情報を接触点座標に変換してプロセッサ１８０に送信するとともに、プロセッサ１８０からのコマンドを受信して実行する。なお、抵抗式、容量式、赤外線式及び表面弾性波式などの様々な方式によりタッチセンシティブ表面１３１を実現することができる。入力ユニット１３０は、タッチセンシティブ表面１３１に加えて、他の入力装置１３２をさらに含んでもよい。他の入力装置１３２は、物理的なキーボード、ファンクションキー（例えば、ボリュームボタン、スイッチボタン等）、トラックボール、マウス、ジョイスティック等の中の一つ又は複数を含んでもよいが、これらに限らない。
【００７９】
表示ユニット１４０は、ユーザが入力した情報やユーザに提供する情報、及び端末装置７００の各種のグラフィカル・ユーザー・インターフェース（ＧＵＩ）を表示するためのものであり、これらのグラフィカル・ユーザー・インターフェースは、図形、テキスト、アイコン、ビデオ及びそれらの任意の組合せで構成されることができる。表示ユニット１４０は、表示パネル１４１を含む。表示パネル１４１は、ＬＣＤ（Ｌｉｑｕｉｄ Ｃｒｙｓｔａｌ Ｄｉｓｐｌａｙ）、ＯＬＥＤ（Ｏｒｇａｎｉｃ Ｌｉｇｈｔ−Ｅｍｉｔｔｉｎｇ Ｄｉｏｄｅ）等の形態で構成されてもよい。さらに、タッチセンシティブ表面１３１は、表示パネル１４１を覆うように設けられ、タッチセンシティブ表面１３１がその表面または付近に対するタッチ操作を検出すると、その検出結果をプロセッサ１８０に転送してタッチイベントのタイプを確認させ、その後、プロセッサ１８０は、タッチイベントのタイプに基づいて、表示パネル１４１上に対応する視覚的出力を提供するように構成されてもよい。図１５において、タッチセンシティブ表面１３１と表示パネル１４１とが２つの独立した部品として出力及び入力の機能を実現するように構成されているが、タッチセンシティブ表面１３１と表示パネル１４１とを集積構成して入力及び出力機能を実現する実施例もあり得る。
【００８０】
端末装置７００は、さらに、例えば光センサー、運動センサー及び他のセンサーなどの、少なくとも１つのセンサー１５０を含んでもよい。光センサーは、環境光センサーと近接センサーを含んでもよいが、環境光センサーは、環境光の明るさに基づいて、表示パネル１４１の輝度を調整することができ、近接センサーは、端末装置７００が耳元まで移動すると、表示パネル１４１及び／又はバックライトをオフする。運動センサーの一種としての重力加速度センサーは、各方向（一般的には、３軸）における加速度の大きさを検出することができ、静止の状態では、重力の大きさ及びその方向を検出することができるので、携帯電話の姿勢を認識するアプリ（例えば、画面の横縦向きの切り替え、ゲーム、磁力計の姿勢校正）、振動認識に関する機能（例えば、歩数計、パーカッション）等に使用される。端末装置７００には、さらに、ジャイロスコープ、気圧計、湿度計、温度計、赤外線センサー等のほかのセンサーが備えられるが、ここで、その具体的な説明は省略する。
【００８１】
オーディオ回路１６０、スピーカ１６１、マイク１６２は、ユーザと端末装置７００との間のオーディオインターフェースを提供する。オーディオ回路１６０は、受信したオーディオデータから変換された電気信号をスピーカ１６１に転送し、スピーカ１６１により音声信号に変換して出力する。一方、マイク１６２は、収集した音声信号を電気信号に変換し、オーディオ回路１６０が当該電気信号を受信した後オーディオデータに変換し、オーディオデータをプロセッサ１８０に転送して処理してから、ＲＦ回路１１０を介して例えば他の端末に転送するか、或いはオーディオデータをメモリ１２０に送信して更に処理を行うようにする。オーディオ回路１６０は、端末装置７００が外部のイヤホンと通信できるように、イヤホン挿入孔を含んでもよい。
【００８２】
当該端末装置は、無線通信を実現するために、無線通信ユニット１７０を備えてもよい。当該無線通信ユニット１７０は、ＷｉＦｉ（ｗｉｒｅｌｅｓｓ ｆｉｄｅｌｉｔｙ）モジュールであってもよい。ＷｉＦｉは近距離無線通信技術に属し、ユーザに無線のブロードバンドインターネットアクセスを提供するので、ユーザは、端末装置７００の無線通信ユニット１７０を利用して、電子メールの送受信、ウェブの閲覧、ストリーミングメディアのアクセス等を行なうことができる。図１５において、無線通信ユニット１７０を示しているが、当該無線通信ユニット１７０は、端末装置７００にとって不可欠な構成ではなく、本発明の趣旨を変更しない範囲内で必要に応じて省略することができる、ことを理解すべきである。
【００８３】
プロセッサ１８０は、端末装置７００の制御センターであり、各種のインターフェース及び回路を介して携帯電話全体の各部と接続され、メモリ１２０内に格納されたソフトウェアプログラム及び／又はモジュールを実行または作動させるとともに、メモリ１２０内に格納されたデータを呼び出すことによって、端末装置７００の各種機能の実行及びデータの処理を実現することで、携帯電話全体をコントロールする。プロセッサ１８０は、１つ又は複数の処理コアを含んでもよく、アプリプロセッサとモデムプロセッサを集積して構成されてもよい。ここで、アプリプロセッサは、主に、ＯＳ、ユーザインターフェース、及びアプリなどを処理し、モデムプロセッサは、主に、無線通信を処理する。また、上記モデムプロセッサがプロセッサ１８０に集積されなくてもよい、ことを理解すべきである。
【００８４】
端末装置７００は、さらに、各部に電力を供給する電源１９０（例えば、バッテリー）を含み、当該電源１９０は、電源管理システムを介してプロセッサ１８０にロジック的に接続されることにより、電源管理システムを介して充電・放電管理、及び電力管理等の機能を実現することができる。電源１９０は、さらに、１つ或いは１つ以上の直流又は交流電源、再充電システム、電源故障検出回路、電源コンバータ又はインバータ、電源状態インジケータ等の任意のアセンブリを含んでもよい。端末装置７００は、図示してはないが、カメラ、ブルートゥース（登録商標）モジュール等をさらに含んでもよいが、ここで、その具体的な説明は省略する。
【００８５】
具体的に、本実施例において、当該端末装置は、メモリ、及びメモリに記憶されている一つ又は一つ以上のプログラムを含む。ここで、一つ又は一つ以上のプログラムは、メモリに記憶され、且つ一つ又は一つ以上のプロセッサにより実行されるとともに、入力されたロック解除命令を受信し、ロック解除命令に基づいて現在のロック解除者が第１の設定群に該当するか否かを判断し、現在のロック解除者が第１の設定群に該当しない場合、現在のロック解除者の情報を取得して保存する、操作を行うための指令を含む。
【００８６】
上記メモリに記憶されているプログラムは、現在のロック解除者が第１の設定群に該当しない場合、情報収集装置を作動させ、情報収集装置により現在のロック解除者の顔画像情報、音声情報、或いは指紋情報を含む現在のロック解除者の情報を収集する、操作を行なうための指令をさらに含む。
【００８７】
上記メモリに記憶されているプログラムは、現在のロック解除者が第１の設定群に該当しない場合、現在のロック解除者の情報を取得して保存した後、現在のロック解除者の情報に基づいて現在のロック解除者が第２の設定群に該当するか否かを判断し、現在のロック解除者が第２の設定群に該当する場合、画面をロック解除して制限使用モードに入り、現在のロック解除者の制限使用モードにおける操作を記録する、操作を行なうための指令をさらに含む。
【００８８】
ここで、制限使用モードにおいて、端末のシステム、及び／又はアプリは、予め設定された操作のみに対してフィードバックを行なう。当該操作は、端末のシステム、及び／又はアプリの作動、照会、修正、追加、及び／又は削除を含む。
【００８９】
上記メモリに記憶されているプログラムは、現在のロック解除者が第１の設定群に該当する場合、ロックを解除し、保存されていて、且つ第１の設定群に該当しないロック解除者の情報、及び／又は操作を表示する、操作を行なうための指令をさらに含む。
【００９０】
上記メモリに記憶されているプログラムは、保存されていて、且つ第１の設定群に該当しないロック解除者の操作を表示した後、提示情報を出力して操作のキャンセル要否を提示し、キャンセル確定されると操作のキャンセルを行う、操作を行なうための指令をさらに含む。
【００９１】
上記メモリに記憶されているプログラムは、現在のロック解除者が第１の設定群に該当しない場合、現在のロック解除者の情報を取得して保存した後、現在のロック解除者の情報に基づいて現在のロック解除者が第２の設定群に該当するか否かを判断し、現在のロック解除者が第２の設定群に該当しない場合、画面ロック状態に入る、操作を行なうための指令をさらに含む。
【００９２】
上記メモリに記憶されているプログラムは、入力されたロック解除命令を受信する前に、端末の軸線を含む平面が水平面となす傾斜角に基づいて画面ロック解除インターフェースの表示要否を判断し、傾斜角が予め設定された閾値以上である場合、画面ロック解除インターフェースを表示する、操作を行なうための指令をさらに含む。
【００９３】
本発明の実施例は、非法使用者の情報を記録して端末所有者に確認させることができるので、端末所有者は、その後にロック解除する際、誰が本機器を使用したことがあるのかを分かるようになるため、端末のロック解除履歴を把握することができ、端末所有者にリスクを排除するように注意を与えることができる。生物認識機能を有する端末は、本発明を通じて、一つの端末を複数の人が使用することを可能にし、異なる人に異なる使用権限を与え、端末所有者は使用者がどんな操作を行ったことがあるか確認することができ、ワンキー復帰を通じて使用者の操作がもたらす影響をキャンセルすることができ、端末所有者の端末に対する維持保守負担を減少させる。
【００９４】
本技術分野の当業者は、本発明の実施例が方法、システム、或いはコンピュータープログラム製品の形態で提供できることを理解るべきである。従って、本発明は、完全にハードウェアによる実施例、完全にソフトウェアによる実施例、或いはソフトウェアとハードウェアの組み合わせによる実施例の形態を使用することができる。本発明は、コンピューターが使用可能なプログラム指令を含む、コンピューターが使用可能な一つ或いは複数の記録媒体（磁気ディスクメモリと光学メモリなどを含むがこれに限定されない）で実施するコンピュータープログラム製品の形態を使用することができる。
【００９５】
本発明の実施例にかかる方法、端末（システム）、及びコンピュータープログラム製品のフローチャート、及び／又はブロック図を参照して本発明を記述した。コンピュータープログラム指令でフローチャート及び／又はブロック図のうちの各処理及び／又はブロック、フローチャート及び／又はブロック図のうちの処理及び／又はブロックの組み合わせを実現することができる、ということを理解すべきである。このようなコンピュータープログラム指令を汎用コンピューター、専用コンピューター、組込みプロセッサ、或いはその他のプログラミングデータ処理装置のプロセッサに供給して一つの機器を実現することができ、このようにして、コンピューター或いはその他のプログラミングデータ処理装置のプロセッサで実行する指令によって、フローチャートの一つ或いは複数の処理、及び／又は、ブロック図の一つ或いは複数のブロックで指定した機能を実現するための装置を提供することができる。
【００９６】
このようなコンピュータープログラム指令は、コンピューター、或いはその他のプログラミングデータ処理装置が特定の方式で動作するように案内する、コンピューターが読み取り可能なメモリに記憶され、当該コンピューターが読み取り可能なメモリに記憶されている指令によって、指令装置を含む製品を生成するようにしてもよい。当該指令装置は、フローチャートの一つ或いは複数の処理、及び／又は、ブロック図の一つ或いは複数のブロックで指定した機能を実現する。
【００９７】
このようなコンピュータープログラム指令は、コンピューター、或いはその他のプログラミングデータ処理装置にローディングされ、コンピューター、或いはその他のプログラミングデバイスで一連の操作ステップを実行して、コンピューターによる処理を実現してもよい。これによって、コンピューター、或いはその他のプログラミングデバイスで実行する指令を通じて、フローチャートの一つ或いは複数の処理、及び／又は、ブロック図の一つ或いは複数のブロックで指定した機能を実現するためのステップを提供する。
【００９８】
もちろん、当該技術分野の当業者は、本発明の旨と範囲を離脱しない範囲で本発明に対していろんな改変と変形を行うことができる。このように、本発明のこのような修正と変形が本発明の特許請求の範囲、及びその均等な技術の範囲に属する場合、本発明はこのような修正と変形を含むことを意図する。
【手続補正２】
【補正対象書類名】特許請求の範囲
【補正対象項目名】全文
【補正方法】変更
【補正の内容】
【特許請求の範囲】
【請求項１】
入力されたロック解除命令を受信するステップと、
上記ロック解除命令に基づいて、現在のロック解除者が第１の設定群に該当するか否かを判断するステップと、
上記現在のロック解除者が上記第１の設定群に該当しない場合、上記現在のロック解除者の情報を取得して保存するステップと
を含むことを特徴とする端末のロック解除処理方法。
【請求項２】
上記現在のロック解除者が上記第１の設定群に該当しない場合、上記現在のロック解除者の情報を取得するステップは、
上記現在のロック解除者が上記第１の設定群に該当しない場合、情報収集装置を作動させるステップと、
上記情報収集装置により上記現在のロック解除者の情報を収集するステップと
を含み、
上記現在のロック解除者の情報は、上記現在のロック解除者の顔画像情報、音声情報、又は指紋情報を含む
ことを特徴とする請求項１に記載の端末のロック解除処理方法。
【請求項３】
上記現在のロック解除者が上記第１の設定群に該当しない場合、上記現在のロック解除者の情報を取得して保存するステップ以降に、さらに、
上記現在のロック解除者の情報に基づいて、上記現在のロック解除者が第２の設定群に該当するか否かを判断するステップと、
上記現在のロック解除者が上記第２の設定群に該当する場合、画面をロック解除して制限使用モードに入るステップと、
上記現在のロック解除者の上記制限使用モードにおける操作を記録するステップと
を含み、
上記制限使用モードにおいて、上記端末のシステム、及びアプリの少なくとも一方は、予め設定された操作のみに対してフィードバックを行ない、
上記操作は、上記端末のシステム、及びアプリの少なくとも一方の、作動、照会、修正、追加、及び削除のうちの一項或いは複数項を含む
ことを特徴とする請求項１に記載の端末のロック解除処理方法。
【請求項４】
上記ロック解除命令に基づいて、現在のロック解除者が第１の設定群に該当するか否かを判断するステップ以降に、さらに、
上記現在のロック解除者が上記第１の設定群に該当する場合、ロックを解除するステップと、
保存されていて、且つ上記第１の設定群に該当しない上記ロック解除者の情報、及び操作の少なくとも一方を表示するステップと
を含むことを特徴とする請求項１或いは３に記載の端末のロック解除処理方法。
【請求項５】
保存されていて、且つ上記第１の設定群に該当しない上記ロック解除者の操作を表示するステップ以降に、さらに、
提示情報を出力して、上記操作に対するキャンセル要否を提示するステップと、
キャンセル確定された場合、上記操作をキャンセルするステップと
を含むことを特徴とする請求項４に記載の端末のロック解除処理方法。
【請求項６】
上記現在のロック解除者が上記第１の設定群に該当しない場合、上記現在のロック解除者の情報を取得して保存するステップ以降に、さらに、
上記現在のロック解除者の情報に基づいて、上記現在のロック解除者が第２の設定群に該当するか否かを判断するステップと、
上記現在のロック解除者が上記第２の設定群に該当しない場合、画面ロック状態に入るステップと
を含むことを特徴とする請求項１に記載の端末のロック解除処理方法。
【請求項７】
入力されたロック解除命令を受信するステップ以前に、さらに、
上記端末の軸線を含む平面が水平面となす傾斜角に基づいて、画面ロック解除インターフェースの表示要否を判断するステップと、
上記傾斜角が予め設定された閾値以上である場合、画面ロック解除インターフェースを表示するステップと
を含むことを特徴とする請求項１に記載の端末のロック解除処理方法。
【請求項８】
上記ロック解除命令は、キャラクターパスワード情報、パターン情報、顔画像情報、音声情報、又は指紋情報に基づくものである
ことを特徴とする請求項１に記載の端末のロック解除処理方法。
【請求項９】
入力されたロック解除命令を受信するための受信モジュールと、
上記ロック解除命令に基づいて、現在のロック解除者が第１の設定群に該当するか否かを判断するための判断モジュールと、
上記現在のロック解除者が上記第１の設定群に該当しない場合、上記現在のロック解除者の情報を取得して保存するための情報取得処理モジュールと
を含むことを特徴とする端末のロック解除処理装置。
【請求項１０】
情報収集装置と装置作動モジュールとをさらに含み、
上記装置作動モジュールは、上記現在のロック解除者が上記第１の設定群に該当しない場合に情報収集装置を作動させるためのものであり、
上記情報収集装置は、上記現在のロック解除者の情報を収集するためのものであり、
上記現在のロック解除者の情報は、上記現在のロック解除者の顔画像情報、音声情報、又は指紋情報を含む
ことを特徴とする請求項９に記載の端末のロック解除処理装置。
【請求項１１】
さらに、
上記現在のロック解除者の情報に基づいて、上記現在のロック解除者が第２の設定群に該当するか否かを判断するための第２の判断モジュールと、
上記現在のロック解除者が上記第２の設定群に該当する場合、画面をロック解除して制限使用モードに入るようにするための第２のロック解除処理モジュールと、
上記現在のロック解除者の上記制限使用モードにおける操作を記録するための記録処理モジュールと
を含み、
上記制限使用モードにおいて、上記端末のシステム、及びアプリの少なくとも一方は、予め設定された操作のみに対してフィードバックを行ない、
上記操作は、上記端末のシステム、及びアプリの少なくとも一方の、作動、照会、修正、追加、及び削除の少なくとも一つを含む
ことを特徴とする請求項９に記載の端末のロック解除処理装置。
【請求項１２】
さらに、
上記現在のロック解除者が上記第１の設定群に該当する場合、ロックを解除するための第１のロック解除処理モジュールと、
保存されていて、且つ上記第１の設定群に該当しないロック解除者の情報、及び操作の少なくとも一方を表示するための表示処理モジュールと
を含むことを特徴とする請求項９或いは１１に記載の端末のロック解除処理装置。
【請求項１３】
さらに、
提示情報を出力して、上記操作に対するキャンセル要否を提示するための情報出力モジュールと、
上記操作をキャンセルするためのキャンセル処理モジュールと
を含むことを特徴とする請求項１２に記載の端末のロック解除処理装置。
【請求項１４】
さらに、
上記現在のロック解除者が上記第２の設定群に該当しない場合、画面ロック状態に入るようにするための画面ロック処理モジュールを含む
ことを特徴とする請求項９に記載の端末のロック解除処理装置。
【請求項１５】
さらに、
上記端末の軸線を含む平面が水平面となす傾斜角に基づいて、画面ロック解除インターフェースの表示要否を判断するための第３の判断モジュールと、
上記傾斜角が予め設定された閾値以上である場合、画面ロック解除インターフェースを表示するためのインターフェース処理モジュールと
を含むことを特徴とする請求項９に記載の端末のロック解除処理装置。
【請求項１６】
上記ロック解除命令は、キャラクターパスワード情報、パターン情報、顔画像情報、音声情報、又は指紋情報に基づくものである
ことを特徴とする請求項９に記載の端末のロック解除処理装置。
【請求項１７】
メモリ、及び一つ又は一つ以上のプログラムを含み、
上記一つ又は一つ以上のプログラムは、メモリに記憶され、且つ一つ又は一つ以上のプロセッサにより実行されるとともに、
上記プログラムは、
入力されたロック解除命令を受信するための指令と、
上記ロック解除命令に基づいて、現在のロック解除者が第１の設定群に該当するか否かを判断するための指令と、
上記現在のロック解除者が上記第１の設定群に該当しない場合、上記現在のロック解除者の情報を取得して保存するための指令と
を含むことを特徴とする端末装置。
【請求項１８】
プロセッサに実行されることにより、請求項１から請求項８のいずれかに記載の端末のロック解除処理方法を実現することを特徴とするプログラム。
【請求項１９】
請求項１８に記載のプログラムが記録された記録媒体。
【国際調査報告】
2015534405.tif 000018
2015534405.tif 000019
2015534405.tif 000020
2015534405.tif 000021
2015534405.tif 000022
2015534405.tif 000023